(57)【要約】【課題】  プラズマディスプレイ装置などの表示装置の映像と、オーディオアンプ装置などの音声出力装置の出力音声との同期を、簡単に調整すること。【解決手段】  ディスク再生装置２は、共通する動画および共通する音声を有する複数の再生データであって、且つ、動画に対する音声の再生遅延量が互いに異なる複数の再生データが記録された再生装置読み取り可能な記録媒体１を再生する。プラズマディスプレイ装置３は、動画を表示する。オーディオアンプ装置４は、音声を出力するとともに再生遅延量の値を表示する。オーディオアンプ装置４は、その入力部２６に表示される再生遅延量の値が入力されると、その入力された値で音声信号を遅延して出力する。【選択図】  図１
2006340250.tif 000002
【特許請求の範囲】
【請求項１】
当該記録媒体に記録されている映像データが共通する動画および共通する音声を有する複数の映像データであって、これらの映像データは動画に対する音声の再生タイミングが互いに異なっている映像データであって、且つ、これら複数の映像データの選択画面のデータを上記記録媒体から読み出す読出手段、ユーザ操作に基づいて上記複数の再生データの中から１つを選択する選択手段、上記選択手段により選択された再生データを上記記録媒体から読み出す読出手段、上記読出手段に読み出された上記再生データに基づいて、少なくとも上記動画を含む動画信号を生成する動画信号生成手段、上記読出手段に読み出された上記再生データに基づいて、少なくとも上記音声を含む音声信号を生成する音声信号生成手段、並びに、動画を表示する表示装置および音声を出力する音声出力装置が接続され、上記動画信号を上記表示装置へ出力するとともに上記音声信号を上記音声出力装置へ出力する信号出力手段を有する再生装置により読み取り可能なことを特徴とする記録媒体。
【請求項２】
請求項１に記載する動画および共通する音声を有する複数の映像情報であって、その画像データには、その画像に付随する音声信号の遅延量が映像として文字表示が付加されている画像であることを特徴とする記録媒体。
【請求項３】
請求項１に記載する動画および共通する音声を有する複数の映像情報であって、その画像データには設定された音声データの遅延量が画像以外に含まれていることを特徴とする記録媒体。
【請求項４】
請求項１または２に記載する記録媒体と、
ユーザ操作に基づいて上記複数の再生データの中から１つを選択する選択手段、上記選択手段により選択された再生データを上記記録媒体から読み出す読出手段、上記読出手段に読み出された上記再生データに基づいて、少なくとも上記動画を含む動画信号を生成する動画信号生成手段、上記読出手段に読み出された上記再生データに基づいて、少なくとも上記音声を含む音声信号を生成する音声信号生成手段、並びに、動画を表示する表示装置および音声を出力する音声出力装置が接続され、上記動画信号を上記表示装置へ出力するとともに上記音声信号を上記音声出力装置へ出力する信号出力手段を有する再生装置と、を有することを特徴とする映像及び音声信号発生装置。
【請求項５】
請求項２に記載されている動画に対する音声の再生遅延量が予め設定されている動画および音声が記録されている記録媒体を再生する映像及び音声信号発生装置が接続され、この映像及び音声信号生装置から少なくとも記録されている音声を含む音声信号および動画に対する音声の再生遅延量の値を示す情報とが入力される信号入力手段と、
遅延データを記憶する記憶手段と、
ユーザ操作に基づいて選択指示を出力する選択指示入力手段と、
上記選択指示入力手段が選択指示を出力した時に上記信号入力手段に入力される動画に対する音声の再生遅延量の値を、上記記憶手段に遅延データとして記憶させる設定手段と、
上記信号入力手段に入力された音声信号に基づく音声信号を、上記記憶手段に記憶されている遅延データの示す時間で遅らせて出力する音声信号出力手段と、
を有することを特徴とする音声出力装置。
【請求項６】
少なくとも動画を含む映像信号を出力する映像出力端子と、
上記映像出力端子から出力する映像信号および当該音声出力装置が出力するアナログ音声信号を、映像に対するそのアナログ音声信号における音声の再生遅延量を調整して発生する信号発生手段と、
上記信号発生手段が発生する映像に対する音声の再生遅延量の値を表示する表示手段と、
遅延データを記憶する記憶手段と、
上記表示手段の表示に基づきユーザにより入力された数値を取得する数値入力手段と、
上記数値入力手段に入力された数値を、上記記憶手段に遅延データとして記憶させる設定手段と、
上記信号入力手段に入力された音声信号に基づくアナログの音声信号を、上記記憶手段に記憶されている遅延データの示す時間で遅らせて出力するアナログ音声信号出力手段と、
を有することを特徴とする音声出力装置。
【請求項７】
少なくとも動画を含む映像信号を出力する映像出力端子と、
上記映像出力端子から出力する映像信号および当該音声出力装置が出力するアナログ音声信号を、映像に対するそのアナログ音声信号における音声の再生遅延量を調整して発生する信号発生手段と、
遅延データを記憶する記憶手段と、
ユーザ操作に基づいて選択指示を出力する選択指示入力手段と、
上記選択指示入力手段が選択指示を出力した時に上記信号発生手段が発生している動画に対する音声の再生遅延量の値を、上記記憶手段に遅延データとして記憶させる設定手段と、
上記信号入力手段に入力された音声信号に基づくアナログの音声信号を、上記記憶手段に記憶されている遅延データの示す時間で遅らせて出力するアナログ音声信号出力手段と、
を有することを特徴とする音声出力装置。
【請求項８】
前記数値入力手段または前記選択指示入力手段は、
当該音声出力装置とは別体に形成され、ユーザの操作に応じて数値あるいは選択指示を無線送信する遠隔入力ユニットと、
上記遠隔入力ユニットが送信した数値あるいは選択指示を受信し、その受信に基づいて前記数値あるいは前記選択指示を出力する受信ユニットと、
を有することを特徴とする請求項５から７の中のいずれか１項記載の音声出力装置。
【請求項９】
少なくとも動画を含む映像信号が入力される映像入力端子と、
上記映像入力端子に入力された映像信号および前記信号発生手段が発生した映像信号の中の一方を選択して前記映像出力端子へ出力する映像入力切替手段と、
を有することを特徴とする請求項６または７記載の音声出力装置。
【請求項１０】
請求項５項記載の音声出力装置と、
上記音声出力装置に接続され、上記音声出力装置へ少なくとも音声を含む音声信号および動画に対する音声の再生遅延量の値を示す情報とを出力するとともに、少なくとも動画を含む動画信号を出力する映像及び音声信号発生装置と、
上記映像及び音声信号発生装置と直接にあるいは上記音声出力装置を介して接続され、上記映像及び音声信号発生装置が出力する少なくとも動画を含む上記動画信号に基づいて動画を表示する表示装置と、
を有することを特徴とする同期調整システム。
【請求項１１】
前記映像及び音声信号発生装置は、請求項４記載の映像及び音声信号発生装置であることを特徴とする請求項１０記載の同期調整システム。
【請求項１２】
請求項６または７項記載の音声出力装置と、
上記音声出力装置に接続され、上記映像及び音声信号発生装置が出力する映像信号に基づいて動画を表示する表示装置と、
を有することを特徴とする同期調整システム。
【請求項１３】
請求項４記載の映像及び音声信号発生装置と、
上記映像及び音声信号発生装置に接続され、上記映像及び音声信号発生装置が出力する音声信号に基づく音声を出力するとともに、音声の出力遅延時間を調整する機能を有する音声出力装置と、
上記映像及び音声信号発生装置に直接あるいは上記音声出力装置を介して接続され、上記映像及び音声信号発生装置が出力する動画信号に基づく動画を表示する表示装置と、
を有することを特徴とする同期調整システム。
【請求項１４】
入力される信号に基づいて画像を表示する表示装置と、入力される信号に基づいて音声を出力する音声出力装置との同期を調整する方法であって、
上記表示装置および上記音声出力装置に接続された映像及び音声信号発生装置が再生する複数の再生データであって、共通する動画および共通する音声を有し、且つ動画に対する音声の再生遅延量が互いに異なる複数の再生データの中から１つの再生データを選択するステップと、
上記選択された再生データを上記映像及び音声信号発生装置で再生してその再生データの動画を上記表示装置に表示し且つその再生データの音声を上記音声出力装置から出力するとともに、上記選択された再生データにおける動画に対する音声の再生遅延量の値を表示するステップと、
上記音声出力装置に入力された数値を、上記音声出力装置がそれに入力された音声信号に基づいて出力するアナログの音声信号を遅延させる時間を示す遅延データとして、上記音声出力装置に記憶させるステップと、
を有することを特徴とする同期調整方法。
【請求項１５】
入力される信号に基づいて画像を表示する表示装置と、入力される信号に基づいて音声を出力する音声出力装置との同期を調整する方法であって、
上記表示装置および上記音声出力装置に接続された映像及び音声信号発生装置が再生する複数の再生データであって、共通する動画および共通する音声を有し、且つ動画に対する音声の再生遅延量が互いに異なる複数の再生データの中から１つの再生データを選択するステップと、
上記選択された再生データを上記映像及び音声信号発生装置で再生してその再生データの動画を上記表示装置に表示し且つその再生データの音声を上記音声出力装置から出力するステップと、
上記音声出力装置において選択指示があった時の、上記選択された再生データにおける動画に対する音声の再生遅延量の値を、上記音声出力装置がそれに入力された音声信号に基づいて出力するアナログの音声信号を遅延させる時間を示す遅延データとして、上記音声出力装置に記憶させるステップと、
を有することを特徴とする同期調整方法。
【請求項１６】
入力される信号に基づいて画像を表示する表示装置と、入力される信号に基づいて音声を出力する音声出力装置との同期を調整する方法であって、
上記音声出力装置において、上記表示装置に動画を表示させる映像信号および当該音声出力装置から出力するアナログ音声信号を、映像に対するそのアナログ音声信号における音声の再生遅延量を調整して発生するとともに、その映像に対する音声の再生遅延量の値を表示するステップと、
上記表示された数値を、ユーザの操作に基づいて上記音声出力装置がそれに入力された音声信号に基づいて出力するアナログの音声信号を遅延させる時間を示す遅延データとして、上記音声出力装置に記憶させるステップと、
を有することを特徴とする同期調整方法。
【請求項１７】
入力される信号に基づいて画像を表示する表示装置と、入力される信号に基づいて音声を出力する音声出力装置との同期を調整する方法であって、
上記音声出力装置において、上記表示装置に動画を表示させる映像信号および当該音声出力装置から出力するアナログ音声信号を、映像に対するそのアナログ音声信号における音声の再生遅延量を調整して発生するステップと、
上記音声出力装置において選択指示があった時に発生している動画に対する音声の再生遅延量の値を、上記音声出力装置がそれに入力された音声信号に基づいて出力するアナログの音声信号を遅延させる時間を示す遅延データとして、上記音声出力装置に記憶させるステップと、
を有することを特徴とする同期調整方法。
【発明の詳細な説明】
【技術分野】
【０００１】
本発明は、再生装置読み取り可能な記録媒体、映像及び音声信号発生装置、音声出力装置、同期調整システムおよび同期調整方法に関する。
【背景技術】
【０００２】
特許文献１は、テレビジョンの映像信号と音声信号の時間差測定装置を開示する。特許文献１の時間差測定装置は、同時に発生したテレビジョンの映像信号と音声信号とがそれぞれ別の伝送路または信号処理回路を介して伝送または処理されたのちモニタに供されるとき、モニタ時点における映像信号と音声信号の到達時間差を測定するものである。
【０００３】
特許文献１の時間差測定装置は、映像信号と音声信号の到達時間差を測定するために、テレビジョンの映像信号と音声信号とに基づいてそれぞれテレビジョンの映像と音声とを得る手段と、該得られたテレビジョンの映像の画面中前記画面の一部における時間的な輝度の変化を対応したレベルの電気信号に変換する光−電気変換器と、該光−電気変換器によって得られた電気信号を２値のパルス信号に整形する第１の波形整形回路と、該第１の該波形整形回路の出力から１パルスを発生する第１の１パルス発生回路と、得られたテレビジョンの音声を該音声のレベルに対応した電気信号に変換するマイクロホンと、該マイクロホンによって得られた電気信号を微分する微分回路と、該微分回路の出力を２値のパルス信号に整形する第２の波形整形回路と、該第２の波形整形回路の出力から１パルスを発生する第２の１パルス発生回路と、前記第１の１パルス発生回路の出力でゲートオンし前記第２の１パルス発生回路の出力でゲートオフするゲート回路と、該ゲート回路がゲートオンとなっている期間を当該期間に含まれるクロックパルスの数をカウントすることにより測定するカウンタ回路と、該カウンタ回路によるカウント結果を表示する時間表示器と、を備える。
【０００４】
【特許文献１】特開平１０−２８５４８３号公報（特許請求の範囲、発明の詳細な説明など）
【発明の開示】
【発明が解決しようとする課題】
【０００５】
ところで、近年、プラズマディスプレイ装置が開発され、普及しはじめている。プラズマディスプレイ装置は、ＴＦＴ（Ｔｈｉｎ  Ｆｉｌｍ  Ｔｒａｎｓｉｓｔｏｒ）を使用する一般的な液晶ディスプレイ装置に比べて、大画面のものを製品化しやすいというメリットがある。プラズマディスプレイ装置は、その大画面で高画質な表示能力のために、たとえばオーディオアンプ装置などと組合せて、ホームシアターシステムとして利用される場合がある。
【０００６】
しかしながら、このプラズマディスプレイ装置と、オーディオアンプ装置などを組合せて使用する場合、以下のような問題が生じる。
【０００７】
すなわち、プラズマディスプレイ装置は、そのディスプレイドライバがプラズマ発光表示部のアドレス電極および表示電極に電圧を印加し、この電圧で所望の放電セル内でプラズマ放電を発生し、そのプラズマ放電にともなう紫外線でその放電セルに設けられた蛍光体を発光させている。また、プラズマディスプレイ装置は、それに入力された動画を、プラズマ発光表示部のアドレス電極および表示電極に与える制御信号へ変換するために、映像Ａ／Ｄ変換部、信号処理部、ディスプレイドライバなどの信号処理系の回路を有する。
【０００８】
そのため、プラズマディスプレイ装置は、アナログ映像信号が入力されてから、その信号に基づく表示画面が表示されるまでに大きな遅延時間が発生する。プラズマディスプレイ装置では、ＴＦＴを使用する一般的な液晶ディスプレイ装置などにあってはそのユーザが感じることはない、大きな遅延時間を生じる。そのプラズマディスプレイ装置の表示画面の遅れは、数十〜数百ミリ秒にもなることがある。
【０００９】
このようにプラズマディスプレイ装置は、それに信号が入力されてからその信号に基づく表示画面を表示するまでに大きな遅延が発生している。その結果、このプラズマディスプレイ装置とオーディオアンプ装置などを組合せて使用する場合、プラズマディスプレイ装置が映像を表示するより先に、オーディオアンプ装置から音声が出力されてしまう。つまり、映像より音が先行して出力されてしまう。たとえば、二人の人が喧嘩をしている場面では、殴る音がしてから、人が殴られる画面が表示されてしまう。
【００１０】
人は、映像より音が遅れる場合には、たとえば遠くで雷がなっている場合を想像すれば解るように、自分の遠方において映像の場面が展開されていると感じ、違和感を感じ難い。しかしながら、映像より音が先行した場合、現実社会ではありえないことになるので、その先行の程度が非常にわずかな時間であったとしても、違和感を感じやすい。
【００１１】
このような状況は、他の方式の表示装置でも大なり小なり起こり得る。
【００１２】
そして、このような違和感が生じないように、プラズマディスプレイ装置の映像と、オーディオアンプ装置から出力される音声との同期を調整しようとする場合、特許文献１に記載されているような時間差測定装置を用いて、映像と音声とのずれ量の値を測定しなければならない。このような時間差測定装置は、映像と音声とのずれ量の値の測定のためだけに使用するものであり、一般人が気軽に購入して利用することができるようなものではない。
【００１３】
本発明は、プラズマディスプレイ装置などの表示装置の映像と、オーディオアンプ装置などの音声出力装置の出力音声との同期を、簡単に調整することができる、再生装置読み取り可能な記録媒体、映像及び音声信号発生装置、音声出力装置、同期調整システムおよび同期調整方法を得ることを目的とする。
【課題を解決するための手段】
【００１４】
本発明に係る記録媒体は、当該記録媒体に記録されている映像データが共通する動画および共通する音声を有する複数の映像データであって、これらの映像データは動画に対する音声の再生タイミングが互いに異なっている映像データであって、且つ、これら複数の映像データの選択画面のデータを記録媒体から読み出す読出手段、ユーザ操作に基づいて複数の再生データの中から１つを選択する選択手段、選択手段により選択された再生データを記録媒体から読み出す読出手段、読出手段に読み出された再生データに基づいて、少なくとも動画を含む動画信号を生成する動画信号生成手段、読出手段に読み出された再生データに基づいて、少なくとも音声を含む音声信号を生成する音声信号生成手段、並びに、動画を表示する表示装置および音声を出力する音声出力装置が接続され、動画信号を表示装置へ出力するとともに音声信号を音声出力装置へ出力する信号出力手段を有する再生装置により読み取り可能なものである。
【００１５】
本発明に係る記録媒体は、上述した発明に係る記録媒体に記載する動画および共通する音声を有する複数の映像情報であって、その画像データには、その画像に付随する音声信号の遅延量が映像として文字表示が付加されている画像であるものである。
【００１６】
本発明に係る記録媒体は、上述した発明に係る記録媒体に記載する動画および共通する音声を有する複数の映像情報であって、その画像データには設定された音声データの遅延量が画像以外に含まれているものである。
【００１７】
本発明に係る映像及び音声信号発生装置は、上述した発明の各構成に係る記録媒体と、ユーザ操作に基づいて複数の再生データの中から１つを選択する選択手段、選択手段により選択された再生データを記録媒体から読み出す読出手段、読出手段に読み出された再生データに基づいて、少なくとも動画を含む動画信号を生成する動画信号生成手段、読出手段に読み出された再生データに基づいて、少なくとも音声を含む音声信号を生成する音声信号生成手段、並びに、動画を表示する表示装置および音声を出力する音声出力装置が接続され、動画信号を表示装置へ出力するとともに音声信号を音声出力装置へ出力する信号出力手段を有する再生装置と、を有するものである。
【００１８】
本発明に係る音声出力装置は、上述した画像に付随する音声信号の遅延量が映像として文字表示が付加されている画像による動画に対する音声の再生遅延量が予め設定されている動画および音声が記録されている記録媒体を再生する映像及び音声信号発生装置が接続され、この映像及び音声信号生装置から少なくとも記録されている音声を含む音声信号および動画に対する音声の再生遅延量の値を示す情報とが入力される信号入力手段と、遅延データを記憶する記憶手段と、ユーザ操作に基づいて選択指示を出力する選択指示入力手段と、選択指示入力手段が選択指示を出力した時に信号入力手段に入力される動画に対する音声の再生遅延量の値を、記憶手段に遅延データとして記憶させる設定手段と、信号入力手段に入力された音声信号に基づく音声信号を、記憶手段に記憶されている遅延データの示す時間で遅らせて出力する音声信号出力手段と、を有するものである。
【００１９】
本発明に係る第二の音声出力装置は、少なくとも動画を含む映像信号を出力する映像出力端子と、映像出力端子から出力する映像信号および当該音声出力装置が出力するアナログ音声信号を、映像に対するそのアナログ音声信号における音声の再生遅延量を調整して発生する信号発生手段と、信号発生手段が発生する映像に対する音声の再生遅延量の値を表示する表示手段と、遅延データを記憶する記憶手段と、表示手段の表示に基づきユーザにより入力された数値を取得する数値入力手段と、数値入力手段に入力された数値を、記憶手段に遅延データとして記憶させる設定手段と、信号入力手段に入力された音声信号に基づくアナログの音声信号を、記憶手段に記憶されている遅延データの示す時間で遅らせて出力するアナログ音声信号出力手段と、を有するものである。
【００２０】
本発明に係る第三の音声出力装置は、少なくとも動画を含む映像信号を出力する映像出力端子と、映像出力端子から出力する映像信号および当該音声出力装置が出力するアナログ音声信号を、映像に対するそのアナログ音声信号における音声の再生遅延量を調整して発生する信号発生手段と、遅延データを記憶する記憶手段と、ユーザ操作に基づいて選択指示を出力する選択指示入力手段と、選択指示入力手段が選択指示を出力した時に信号発生手段が発生している動画に対する音声の再生遅延量の値を、記憶手段に遅延データとして記憶させる設定手段と、信号入力手段に入力された音声信号に基づくアナログの音声信号を、記憶手段に記憶されている遅延データの示す時間で遅らせて出力するアナログ音声信号出力手段と、を有するものである。
【００２１】
本発明に係る音声出力装置は、上述した発明の各構成に加えて、数値入力手段または選択指示入力手段が、当該音声出力装置とは別体に形成され、ユーザの操作に応じて数値あるいは選択指示を無線送信する遠隔入力ユニットと、遠隔入力ユニットが送信した数値あるいは選択指示を受信し、その受信に基づいて数値あるいは選択指示を出力する受信ユニットと、を有するものである。
【００２２】
本発明に係る音声出力装置は、上述した発明の各構成に加えて、少なくとも動画を含む映像信号が入力される映像入力端子と、映像入力端子に入力された映像信号および信号発生手段が発生した映像信号の中の一方を選択して映像出力端子へ出力する映像入力切替手段と、を有するものである。
【００２３】
本発明に係る同期調整システムは、上述した発明の第一の構成に係る音声出力装置と、音声出力装置に接続され、音声出力装置へ少なくとも音声を含む音声信号および動画に対する音声の再生遅延量の値を示す情報とを出力するとともに、少なくとも動画を含む動画信号を出力する映像及び音声信号発生装置と、映像及び音声信号発生装置と直接にあるいは音声出力装置を介して接続され、映像及び音声信号発生装置が出力する少なくとも動画を含む動画信号に基づいて動画を表示する表示装置と、を有するものである。
【００２４】
本発明に係る同期調整システムは、上述した発明の構成に加えて、映像及び音声信号発生装置が、上述した発明に係る映像及び音声信号発生装置であるものである。
【００２５】
本発明に係る同期調整システムは、上述した発明の第二または第三の構成に係る音声出力装置と、音声出力装置に接続され、映像及び音声信号発生装置が出力する映像信号に基づいて動画を表示する表示装置と、を有するものである。
【００２６】
本発明に係る同期調整システムは、上述した発明に係る映像及び音声信号発生装置と、映像及び音声信号発生装置に接続され、映像及び音声信号発生装置が出力する音声信号に基づく音声を出力するとともに、音声の出力遅延時間を調整する機能を有する音声出力装置と、映像及び音声信号発生装置に直接あるいは音声出力装置を介して接続され、映像及び音声信号発生装置が出力する動画信号に基づく動画を表示する表示装置と、を有するものである。
【００２７】
本発明に係る第一の同期調整方法は、入力される信号に基づいて画像を表示する表示装置と、入力される信号に基づいて音声を出力する音声出力装置との同期を調整する方法であって、表示装置および音声出力装置に接続された映像及び音声信号発生装置が再生する複数の再生データであって、共通する動画および共通する音声を有し、且つ動画に対する音声の再生遅延量が互いに異なる複数の再生データの中から１つの再生データを選択するステップと、選択された再生データを映像及び音声信号発生装置で再生してその再生データの動画を表示装置に表示し且つその再生データの音声を音声出力装置から出力するとともに、選択された再生データにおける動画に対する音声の再生遅延量の値を表示するステップと、音声出力装置に入力された数値を、音声出力装置がそれに入力された音声信号に基づいて出力するアナログの音声信号を遅延させる時間を示す遅延データとして、音声出力装置に記憶させるステップと、を有するものである。
【００２８】
本発明に係る第二の同期調整方法は、入力される信号に基づいて画像を表示する表示装置と、入力される信号に基づいて音声を出力する音声出力装置との同期を調整する方法であって、表示装置および音声出力装置に接続された映像及び音声信号発生装置が再生する複数の再生データであって、共通する動画および共通する音声を有し、且つ動画に対する音声の再生遅延量が互いに異なる複数の再生データの中から１つの再生データを選択するステップと、選択された再生データを映像及び音声信号発生装置で再生してその再生データの動画を表示装置に表示し且つその再生データの音声を音声出力装置から出力するステップと、音声出力装置において選択指示があった時の、選択された再生データにおける動画に対する音声の再生遅延量の値を、音声出力装置がそれに入力された音声信号に基づいて出力するアナログの音声信号を遅延させる時間を示す遅延データとして、音声出力装置に記憶させるステップと、を有するものである。
【００２９】
本発明に係る第三の同期調整方法は、入力される信号に基づいて画像を表示する表示装置と、入力される信号に基づいて音声を出力する音声出力装置との同期を調整する方法であって、音声出力装置において、表示装置に動画を表示させる映像信号および当該音声出力装置から出力するアナログ音声信号を、映像に対するそのアナログ音声信号における音声の再生遅延量を調整して発生するとともに、その映像に対する音声の再生遅延量の値を表示するステップと、表示された数値を、ユーザの操作に基づいて音声出力装置がそれに入力された音声信号に基づいて出力するアナログの音声信号を遅延させる時間を示す遅延データとして、音声出力装置に記憶させるステップと、を有するものである。
【００３０】
本発明に係る第四の同期調整方法は、入力される信号に基づいて画像を表示する表示装置と、入力される信号に基づいて音声を出力する音声出力装置との同期を調整する方法であって、音声出力装置において、表示装置に動画を表示させる映像信号および当該音声出力装置から出力するアナログ音声信号を、映像に対するそのアナログ音声信号における音声の再生遅延量を調整して発生するステップと、音声出力装置において選択指示があった時に発生している動画に対する音声の再生遅延量の値を、音声出力装置がそれに入力された音声信号に基づいて出力するアナログの音声信号を遅延させる時間を示す遅延データとして、音声出力装置に記憶させるステップと、を有するものである。
【発明の効果】
【００３１】
本発明では、プラズマディスプレイ装置などの表示装置の映像と、オーディオアンプ装置などの音声出力装置の出力音声との同期を、簡単に調整することができる。
【発明を実施するための最良の形態】
【００３２】
以下、本発明の実施の形態に係る再生装置読み取り可能な記録媒体、映像及び音声信号発生装置、音声出力装置、同期調整システムおよび同期調整方法を、図面に基づいて説明する。映像及び音声信号発生装置は、テストディスクを再生するディスク再生装置を例として説明する。再生装置読み取り可能な記録媒体は、テストディスクを例として説明する。音声出力装置は、オーディオアンプ装置を例として説明する。同期調整方法は、同期調整システムの動作として説明する。
【００３３】
実施の形態１．
図１は、本発明の実施の形態１に係る同期調整システムを示す図である。同期調整システムは、同期調整のための映像などが記録されている記録媒体としてのテストディスク１と、このテストディスク１を再生する再生装置としてのディスク再生装置２と、表示装置としてのプラズマディスプレイ装置３と、音声出力装置としてのオーディオアンプ装置４と、スピーカ５と、を有する。
【００３４】
図２は、図１中のプラズマディスプレイ装置３の構成を示すブロック図である。同期調整の対象であるプラズマディスプレイ装置３は、アナログ映像入力端子１１と、映像Ａ／Ｄ（Ａｎａｌｏｇ  ｔｏ  Ｄｉｇｉｔａｌ）変換部１２と、信号処理部１３と、ディスプレイドライバ１４と、プラズマ発光表示部１５と、を有する。
【００３５】
プラズマ発光表示部１５は、図示外の複数の放電セルを有する。複数の放電セルは、二次元のマトリックス状に配列される。放電セルは、表示画素の色要素（たとえば赤、緑、青などの色の組合せにおける各色）毎に形成される。
【００３６】
放電セルは、アドレス電極と表示電極との間にある空洞内にガスが封入された構造を有する。空洞内には、それぞれの放電セルの表示色に蛍光する蛍光体が配設される。アドレス電極と表示電極との間に高電圧が印加されると、封入されたガスがプラズマ発光する。そのプラズマ発光により発生する紫外線で、その放電セルに設けられた蛍光体がそれぞれの表示色を発光する。
【００３７】
プラズマディスプレイ装置３のアナログ映像入力端子１１には、アナログ映像信号が入力される。アナログ映像信号には、たとえばＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式やＰＡＬ（Ｐｈａｓｅ  Ａｌｔｅｒｎａｔｉｎｇ  Ｌｉｎｅ）方式でのアナログビデオ信号や、デジタル放送の映像入出力のためのフォーマットによるアナログビデオ信号などがある。デジタル放送の映像入出力のためのフォーマットによるアナログビデオ信号が入力されるアナログ映像入力端子は、一般的にＤ１端子などと呼ばれている。
【００３８】
これらのアナログ映像信号は、たとえば１／３０秒などの所定の期間毎に、１つの表示画面に関する映像信号を有する。アナログ映像信号において１つの表示画面の映像信号は、その表示画面をブラウン管を用いたビーム走査式のディスプレイ装置で表示する場合の、水平走査線毎の輝度分布に対応する波形成分を単位として構成される。１つの表示画面は、たとえば４８０個、５２５個などの所定数の水平走査線毎の波形成分で構成される。
【００３９】
プラズマディスプレイ装置３のアナログ映像入力端子１１は、映像Ａ／Ｄ変換部１２に接続される。映像Ａ／Ｄ変換部１２は、アナログ映像入力端子１１に入力されるアナログ映像信号をサンプリングする。信号処理部１３は、映像Ａ／Ｄ変換部１２によるサンプリングデータに基づいて、アナログ映像信号における表示画面毎に、二次元画像データを生成する。ディスプレイドライバ１４は、プラズマ発光表示部１５のアドレス電極および表示電極に、信号処理部１３が生成した二次元画像データに応じた電圧を印加する。あるアドレス電極と表示電極との電位差が高電圧になると、そのアドレス電極および表示電極に対応する放電セルは、プラズマ放電し、所定の表示色で蛍光する。
【００４０】
このように、アナログ映像入力端子に入力されるアナログ映像信号における表示画面の波形成分に基づいて、プラズマ発光表示部１５は、表示画面を表示する。プラズマ発光表示部１５が表示する表示画面は、アナログ映像信号が次の表示画面の波形成分に切り替わったら、それに応じて内部処理を行い新しい画面を表示する。これにより、プラズマディスプレイ装置３は、アナログ映像信号に基づいて、表示画面が所定の周期で切り替わる動画を表示することができる。
【００４１】
アナログ音声信号は、所定の音声の波形成分を有する信号である。アナログ音声信号は、それに基づいてスピーカ５を駆動することで、そのスピーカ５からアナログ音声信号に信号化されている所定の音声を出力することができる信号である。
【００４２】
なお、この実施の形態１では使用しないが、プラズマディスプレイ装置３は、アナログ音声入力端子１７と、アンプ回路１８と、内蔵スピーカ１９と、を有する。アナログ音声入力端子１７は、アンプ回路１８に接続される。アンプ回路１８は、アナログ音声入力端子１７に入力されるアナログ音声信号を増幅する。アンプ回路１８は、増幅したアナログ音声信号を内蔵スピーカ１９へ出力する。内蔵スピーカ１９は、増幅されたアナログ音声信号の波形成分にしたがって振動される。プラズマディスプレイ装置３は、アナログ音声入力端子１７に入力されたアナログ音声信号にしたがった音声を出力する。
【００４３】
図３は、図１中のオーディオアンプ装置４の構成を示すブロック図である。オーディオアンプ装置４は、信号入力手段の一部としてのアナログ音声入力端子３１と、音声Ａ／Ｄ変換部３２と、音声Ｄ／Ａ（Ｄｉｇｉｔａｌ  ｔｏ  Ａｎａｌｏｇ）変換部３３と、アンプ回路３４と、アナログ音声信号出力手段としてのアナログ音声出力端子３５と、を有する。オーディオアンプ装置４は、数値入力手段としての入力部２６と、設定手段としての遅延データ設定部２７と、記憶手段としての遅延データメモリ２８と、デジタル遅延回路２９と、を有する。
【００４４】
また、オーディオアンプ装置４は、信号入力手段の一部および映像入力端子としてのアナログ映像入力端子２１と、ディレイ抽出部２３と、表示手段としての表示部２４と、を有する。オーディオアンプ装置４のアナログ映像入力端子２１は、アナログ映像出力端子２２と、ディレイ抽出部２３と、に接続される。ディレイ抽出部２３は、アナログ映像出力端子２１に入力されたアナログ映像信号から、それに重畳されている映像に対する音声の再生遅延量の値を抽出する。ディレイ抽出部２３は、抽出した再生遅延量の値を表示部２４に出力する。表示部２４は、再生遅延量の値を表示する。なお、この実施の形態では使用しないが、オーディオアンプ装置４は、映像出力端子としてのアナログ映像出力端子２２を有する。アナログ映像出力端子２２は、アナログ映像入力端子２１に入力されたアナログ映像信号を出力する。アナログ映像出力端子２２までの構成要素は、後述する図７の接続時に使用する。
【００４５】
オーディオアンプ装置４の入力部２６は、ユーザの入力操作に応じて、数値などの入力データを出力する。遅延データ設定部２７は、入力部２６から入力された数値を、遅延データとして遅延データメモリ２８へ出力する。遅延データメモリ２８は、遅延データを記憶する。デジタル遅延回路２９は、それに入力されるデジタル値を、遅延データメモリ２８が記憶する遅延データの値に相当する時間で遅らせて出力する。
【００４６】
なお、発明者らの調査テストにより、２００ミリ秒以上、音声が先行する場合、普通の人であってもその音の先行が気になることが分っている。そのため、遅延データメモリ２８およびデジタル遅延回路２９は、たとえば１００ミリ秒以上、好ましくは２００ミリ秒以上、デジタル値を遅らせて出力できるように構成するとよい。
【００４７】
オーディオアンプ装置４のアナログ音声入力端子３１は、音声Ａ／Ｄ変換部３２に接続される。音声Ａ／Ｄ変換部３２は、アナログ音声入力端子３１に入力されるアナログ音声信号をサンプリングし、デジタル遅延回路２９へ出力する。音声Ｄ／Ａ変換部３３は、デジタル遅延回路２９から出力されるデジタル値が入力され、そのデジタル値に応じたレベルを出力する。これにより、音声Ｄ／Ａ変換部３３からは、アナログ音声入力端子３１に入力されるアナログ音声信号を、遅延データメモリ２８が記憶する遅延データの値に相当する時間で遅らせたアナログ音声信号が出力される。
【００４８】
オーディオアンプ装置４のアンプ回路３４は、音声Ｄ／Ａ変換部３３から出力される遅延されたアナログ音声信号を増幅する。アンプ回路３４は、増幅したアナログ音声信号をアナログ音声出力端子３５に出力する。アナログ音声出力端子３５には、図１に示すように、スピーカ５が接続される。スピーカ５は、アナログ音声信号に信号化されている所定の音声を出力する。
【００４９】
本発明の実施の形態１に係る同期調整システムは、以上のような構成および機能を有するプラズマディスプレイ装置３とオーディオアンプ装置４との同期を調整するためのものである。本発明の実施の形態１に係る同期調整システムは、アナログ映像信号に基づいてプラズマディスプレイ装置３が表示する動画と、アナログ音声信号に基づいてオーディオアンプ装置４に接続されるスピーカ５が出力する音声との同期を調整するためのものである。
【００５０】
このような目的を達成するために、本発明の実施の形態１に係る同期調整システムは、上述したように、同期調整のための映像などが記録されているテストディスク１と、このテストディスク１を再生するディスク再生装置２と、を有する。ディスク再生装置２がこのテストディスク１を再生することで、映像及び音声信号発生装置になる。
【００５１】
図４は、図１中のディスク再生装置２の構成を示すブロック図である。ディスク再生装置２は、駆動モータ４１と、読出手段としての光ピックアップ４２と、ヘッドアンプ４３と、制御部４４と、選択手段としての入力部４５と、を有する。ディスク再生装置２は、デモジュレータ４６と、ＭＰＥＧ（Ｍｏｖｉｎｇ  Ｐｉｃｔｕｒｅ  Ｃｏｄｉｎｇ  Ｅｘｐｅｒｔｓ  Ｇｒｏｕｐ）信号分離部４７と、オーディオデコーダ４８と、音声信号生成手段としての音声Ｄ／Ａ変換部４９と、信号出力手段の一部としてのアナログ音声出力端子５０と、を有する。ディスク再生装置２は、ＭＰＥＧストリームデコーダ５２と、動画信号生成手段としての映像Ｄ／Ａ変換部５３と、信号出力手段の一部としてのアナログ映像出力端子５４と、ＭＰＥＧ再圧縮部５５と、ＭＰＥＧ−ＴＳ（トラスポートストリーム）変換部５６と、デジタル映像出力端子５７と、を有する。
【００５２】
駆動モータ４１は、ディスク再生装置２にセットされたテストディスク１などの光ディスクを回転する。光ピックアップ４２は、回転する光ディスクからデータを読み出し、その再生データに応じた波形信号を出力する。ヘッドアンプ４３は、光ピックアップ４２から出力される波形信号を増幅する。入力部４５は、ユーザの操作に応じて、入力指示などを出力する。制御部４４は、入力部４５からの入力指示に基づいて、駆動モータ４１による光ディスクの回転駆動と、光ピックアップ４２による光ディスクからのデータ読み取り位置とを制御する。
【００５３】
デモジュレータ４６は、ヘッドアンプ４３により増幅された波形信号から、光ディスクに記録された動画および音声を含むＭＰＥＧ信号を生成する。ＭＰＥＧ信号分離部４７は、ＭＰＥＧ信号を、少なくとも光ディスクに記録された動画を含むＭＰＥＧストリーム信号と、光ディスクに記録された音声を含むデジタルオーディオ符号化信号とに分離する。
【００５４】
オーディオデコーダ４８は、ＭＰＥＧ信号分離部４７により分離されたデジタルオーディオ符号化信号をデコードする。音声Ｄ／Ａ変換部４９は、オーディオデコーダ４８によりデコードされた信号に基づいて、光ディスクに記録された音声の波形成分を含むアナログ音声信号を生成する。音声Ｄ／Ａ変換部４９は、アナログ音声信号をアナログ音声出力端子５０へ出力する。
【００５５】
ＭＰＥＧストリームデコーダ５２は、ＭＰＥＧ信号から分離されたＭＰＥＧストリーム信号をデコードする。映像Ｄ／Ａ変換部５３は、ＭＰＥＧストリームデコーダ５２によりデコードされた信号に基づいて、光ディスクに記録された動画を水平走査線毎の波形成分として含むアナログ映像信号を生成する。アナログ映像信号は、映像信号の一種である。映像Ｄ／Ａ変換部５３は、アナログ映像信号をアナログ映像出力端子５４へ出力する。
【００５６】
ＭＰＥＧ再圧縮部５５は、ＭＰＥＧストリームデコーダ５２によりデコードされた信号を再符号化して圧縮する。ＭＰＥＧ−ＴＳ変換部５６は、ＭＰＥＧ再圧縮部５５により圧縮された信号に基づいて、ＭＰＥＧストリーム信号を生成する。ＭＰＥＧ−ＴＳ変換部５６は、生成したＭＰＥＧストリーム信号をデジタル映像出力端子５７へ出力する。
【００５７】
同期調整のための映像などが記録されているテストディスク１は、ディスク再生装置２により読み取り可能な光ディスクである。光ディスクには、ＤＶＤ−ＲＯＭ、ＤＶＤ−ＲＡＭ、ＤＶＤ−Ｒ、ＤＶＤ＋Ｒ、ＣＤ、ＣＤ−Ｒなどがある。テストディスク１には、複数の再生データと、この複数の再生データの中から１つの再生データを選択する選択画面データと、が記録される。
【００５８】
図５は、テストディスク１に１つの再生データとして記録されている動画と音声との関係などを示す説明図である。図５において、一番上に横一列に描画されている複数の時計は、動画を構成する複数の表示画面６１，６２，６３，６４，６５，６６である。複数の表示画面６１，６２，６３，６４，６５，６６は、図面の左側のもの（つまり６１番）から順番に出力されて表示される。この複数の表示画面６１，６２，６３，６４，６５，６６の下には、時を告げる音声のデータ６７の出力期間が描画されている。
【００５９】
テストディスク１に記録されている動画は、たとえば１／３０秒などの所定の期間毎に再生される複数の表示画面６１，６２，６３，６４，６５，６６で構成される。各表示画面６１，６２，６３，６４，６５，６６には、アナログの時計が映る。時計は、秒針６８と、時計の１２時の位置のマーク６９と、を有する。テストディスク１に記録された動画において、秒針６８は、たとえば９秒の時間において１秒毎に、時計で言うところの５５秒の位置から０３秒の位置まで移動する。００秒となる表示画面（この例でいえば動画の開始タイミングから数えて５秒目から６秒目までの期間における表示画面）６３においては、秒針５８と１２時の位置のマーク６９とが重なる。なお、テストディスク１に記録されている動画は、秒針が５５秒の位置から０３秒の位置まで移動する動画を繰り返し記録したものであってもよい。なお、ユーザが同期しているか否かを判断する場合、同一の動画が複数回繰り返されることが有効である。また、同期データに基づいて再生される動画の長さとしては、３０秒程度は確保した方がよい。再生される動画の長さは、数分あるいは数十分であってもよい。
【００６０】
テストディスク１に記録されている音声は、たとえば時を告げる「ボーン」という音の音声である。時を告げる「ボーン」という音は、たとえば２秒間の長さを有する。
【００６１】
テストディスク１に記録される複数の再生データは、図５に示す動画と音声とを再生するためのデータである。そして、テストディスク１に記録される複数の再生データは、音声の再生開始タイミングが互いに異なる。テストディスク１に記録される複数の再生データは、動画に対する音声の再生遅延量が互いに異なる。
【００６２】
たとえば図５に例示する再生データでは、秒針６８が５９秒となる位置にある表示画面６２から００秒となる位置にある表示画面６３へに切り替わるタイミングから、時を告げる「ボーン」という音の再生が開始される。そして、秒針６８が０１秒となる位置にある表示画面６４から０２秒となる位置にある表示画面６６５へに切り替わるタイミングにおいて、時を告げる「ボーン」という音の再生が終了される。
【００６３】
図５の音声の再生開始タイミングの場合、動画において秒針６８が００秒となる位置へ切り替わるタイミング（５秒目）において、時を告げる「ボーン」という音が鳴り始めることになる。再生データにおいて、動画と音声とは同期している。以下、このタイミングを、同期タイミングとよぶ。
【００６４】
そのため、テストディスク１に記録されるその他の再生データでは、同期タイミングとは異なるタイミングにおいて時を告げる「ボーン」という音の再生が開始されるようになっている。具体的にはたとえば、テストディスク１に記録されるその他の再生データは、同期タイミングより１０ミリ秒遅れたタイミングにおいて時報の音が開始されるものであったり、同期タイミングより２０ミリ秒遅れたタイミングにおいて時報の音が開始されるものであったり、同期タイミングより５０ミリ秒遅れたタイミングにおいて時報の音が開始されるものであったり、同期タイミングより１００ミリ秒遅れたタイミングにおいて時報の音が開始されるものであったり、同期タイミングより１５０ミリ秒遅れたタイミングにおいて時報の音が開始されるものであったりする。
【００６５】
テストディスク１に記録される各再生データは、それぞれの時報の音の開始タイミングの値を、動画に対する音声の再生遅延量の値として有する。時報の音の開始タイミングの値は、同期タイミングからの遅れ時間の値として表される。たとえば、動画と音声とが同期している図５の再生データの場合には、時報の音の開始タイミングの値として「０」秒の値を有する。この他にもたとえば、音声が動画より１０ミリ秒遅れている再生データは、時報の音の開始タイミングの値として「１０」ミリ秒という値を有する。
【００６６】
このように、テストディスク１に記録されている各再生データは、所定のタイミングで時報の音が再生されるように設定された動画と音声とともに、時報の音の開始タイミングの値を有する。動画と音声とは、ＭＰＥＧデータとしてテストディスク１に記録される。ＭＰＥＧには、ＭＰＥＧ−１、ＭＰＥＧ−２、ＭＰＥＧ−４などがある。そして、時報の音の開始タイミングの値は、ＭＰＥＧデータのプライベートストリームのデータとして記録される。
【００６７】
なお、図５の下半分には、１つの表示画面のアナログ映像信号の信号波形が描画されている。具体的には、動画の左側から二番目の表示画面６２のアナログ映像信号の信号波形が描画されている。１つの表示画面に対応するアナログ映像信号は、たとえば４８０個、５２５個などの所定数の水平走査期間を有する。各水平走査期間に、１つの水平走査線毎の輝度分布に対応する波形成分７１が含まれる。
【００６８】
また、各表示画面に対応するアナログ映像信号の先頭部分には、水平走査期間の２０個分の期間が、垂直ブランキング期間７２として確保されている。この垂直ブランキング期間７２には、表示画面の輝度分布に対応する波形成分７１が含まれない。垂直ブランキング期間７２の信号波形は、ブラウン管におけるビーム走査の信号として使用されない。
【００６９】
図６は、テストディスク１に選択画面データとして記録されている選択画面８１を示す図である。選択画面８１には、再生した画面内で選択可能な複数の選択オブジェクト８２を有する。複数の選択オブジェクト８２は、テストディスク１に記録されている複数の再生データと同数である。なお、複数の選択オブジェクト８２は、複数の選択画面に分割されて表示されてもよい。また、テストディスク１は、複数の選択オブジェクト８２と複数の再生データとを１対１に対応付ける対応情報を有する。各選択オブジェクト８２には、それが対応する再生データの時報の音の開始タイミングの値と同じ値が表示される。たとえば、動画と音声とが同期している図５の再生データに対応する選択オブジェクト８２には、「０秒」の値が表示される。
【００７０】
そして、選択画面データは、テストディスク１のデータ記録エリアにおいて、複数の再生データよりも先に再生される位置に記録される。たとえば、ＤＶＤ−ＲＯＭ、ＤＶＤ−ＲＡＭ、ＤＶＤ−Ｒ、ＤＶＤ＋Ｒなどの記録メディアに、ＤＶＤ−ｖｉｄｅｏ記録フォーマットやＤＶＤ−ＶＲ記録フォーマットなどの所定のデータ構造にてデータを記録することでテストディスク１を形成する場合、選択画面データは、そのトラックメニュー画面のデータ、チャプターメニュー画面のデータ、ボリュームメニュー画面のデータとして、記録されればよい。そして、複数の再生データは、そのメニュー画面において選択画面８１の選択オブジェクト８２が選択された場合に、再生されるトラックデータ、チャプターデータなどとして記録されればよい。
【００７１】
次に、図１に示す音声同期システムを用いた、プラズマディスプレイ装置３とオーディオアンプ装置４との同期を調整する調整方法について説明する。
【００７２】
ユーザは、まず、接続ケーブル８を用いて、ディスク再生装置２と、プラズマディスプレイ装置３と、オーディオアンプ装置４とを接続する。具体的には、ディスク再生装置２のアナログ映像出力端子５４を、プラズマディスプレイ装置３のアナログ映像入力端子１１と、オーディオアンプ装置４のアナログ映像入力端子２１とに接続する。
【００７３】
なお、出力端子が２個無い場合は、映像信号分配器などで信号を分配して、ディスク再生装置２のアナログ映像出力端子５４を、プラズマディスプレイ装置３のアナログ映像入力端子１１と、オーディオアンプ装置４のアナログ映像入力端子２１とに接続すればよい。この他にもたとえば図７に示すように、接続ケーブル８を２本用いて、ディスク再生装置２のアナログ映像出力端子５４とオーディオアンプ装置４のアナログ映像入力端子２１とを接続し、且つ、オーディオアンプ装置４のアナログ映像出力端子２２とプラズマディスプレイ装置３のアナログ映像入力端子１１とを接続するようにしてもよい。図７は、本発明の実施の形態１に係る同期調整システムの他の接続例を示す図である。
【００７４】
ユーザは、また、接続ケーブル８を用いて、ディスク再生装置２のアナログ音声出力端子５０とオーディオアンプ装置４のアナログ音声入力端子３１とを接続する。
【００７５】
ディスク再生装置２、プラズマディスプレイ装置３およびオーディオアンプ装置４を互いに接続した後、ユーザは、オーディオアンプ装置４の入力部２６を操作して、遅延データメモリ２８をリセットする。オーディオアンプ装置４の入力部２６は、ユーザの操作に基づいて、数値「０」の入力データを出力する。遅延データ設定部２７は、この数値「０」の入力データを、遅延データとして遅延データメモリ２８に記憶させる。
【００７６】
以上の前準備が完了した後、ユーザは、テストディスク１をディスク再生装置２にセットし、ディスク再生装置２の入力部４５を操作する。制御部４４は、入力部４５からの入力指示に基づいて、この駆動モータ４１によるテストディスク１の回転駆動と、光ピックアップ４２によるテストディスク１からのデータ読み取り位置との制御を開始する。
【００７７】
テストディスク１の回転駆動を開始すると、制御部４４は、光ピックアップ４２でテストディスク１のデータ記録エリアなどを走査し、テストディスク１のメディア種類や記録フォーマットなどを判定し、その記録フォーマットに応じた最初の再生位置からデータの読み込みを開始する。テストディスク１の最初に再生される位置には、選択画面データが記録されている。したがって、光ピックアップ４２は、テストディスク１に記録されている選択画面データに応じた波形信号を出力する。
【００７８】
この選択画面データに応じた波形信号は、ヘッドアンプ４３を介して、デモジュレータ４６に入力される。デモジュレータ４６は、選択画面データに応じた波形信号に基づくＭＰＥＧ信号を生成する。ＭＰＥＧ信号分離部４７は、このＭＰＥＧ信号を、ＭＰＥＧストリーム信号とデジタルオーディオ符号化信号とに分離する。ＭＰＥＧストリームデコーダ５２は、ＭＰＥＧストリーム信号をデコードし、映像Ｄ／Ａ変換部５３は、ＭＰＥＧストリームデコーダ５２によりデコードされた信号に基づいて、アナログ映像信号を生成し、アナログ映像出力端子５４へ出力する。
【００７９】
ディスク再生装置２のアナログ映像出力端子５４には、接続ケーブル８により、プラズマディスプレイ装置３のアナログ映像入力端子１１と、オーディオアンプ装置４のアナログ映像入力端子２１とが接続されている。アナログ映像出力端子５４へ出力されたアナログ映像信号は、これらのアナログ映像入力端子１１，２１に入力される。
【００８０】
プラズマディスプレイ装置３の映像Ａ／Ｄ変換部１２は、そのアナログ映像入力端子１１に入力されたアナログ映像信号をサンプリングし、信号処理部１３は、サンプリングデータに基づいて二次元画像データを生成し、ディスプレイドライバ１４は、二次元画像データに基づいて、プラズマ発光表示部１５のアドレス電極および表示電極の印加電圧を制御する。プラズマ発光表示部１５では、アドレス電極と表示電極との電位差が高電圧になった放電セルがそれぞれの表示色で蛍光する。
【００８１】
これにより、プラズマディスプレイ装置３のプラズマ発光表示部１５には、図６に示すテストデータの選択画面８１が表示される。
【００８２】
プラズマディスプレイ装置３にテストデータの選択画面８１が表示されたら、ユーザは、その選択画面８１に表示される複数の選択オブジェクト８２の中から、動画に対する音声の再生遅延量の値として、試してみたい値を表示する選択オブジェクト８２を選択する。具体的には、ユーザは、ディスク再生装置２の入力部４５を操作し、入力部４５は、ユーザの操作に基づいて選択オブジェクト８２を選択する。入力部４５は、選択した選択オブジェクト８２の対応情報に基づいて、選択した選択オブジェクト８２に対応する再生データを特定し、その再生データの読み出しを指示する。制御部４４は、その再生データが記録されているディスク位置に光ピックアップ４２を移動する。光ピックアップ４２は、選択した選択オブジェクト８２に対応する再生データに応じた波形信号を出力する。
【００８３】
再生データに応じた波形信号は、ヘッドアンプ４３を介して、デモジュレータ４６に入力される。デモジュレータ４６は、再生データに応じた波形信号に基づくＭＰＥＧ信号を生成する。このＭＰＥＧ信号には、再生データにおいてＭＰＥＧデータのプライベートストリームのデータとして記録されている時報の音の開始タイミングの値が含まれている。
【００８４】
ＭＰＥＧ信号分離部４７は、このＭＰＥＧ信号を、ＭＰＥＧストリーム信号とデジタルオーディオ符号化信号とに分離する。ＭＰＥＧストリームデコーダ５２は、ＭＰＥＧストリーム信号をデコードし、映像Ｄ／Ａ変換部５３は、ＭＰＥＧストリームデコーダ５２によりデコードされた信号に基づいて、アナログ映像信号を生成し、アナログ映像出力端子５４へ出力する。
【００８５】
この再生データに基づくアナログ映像信号は、図５に示すアナログ映像信号の信号波形を有する。映像Ｄ／Ａ変換部５３は、各表示画面の信号波形に、再生データにおいてＭＰＥＧデータのプライベートストリームのデータとして記録されている時報の音の開始タイミングの値を重畳する。具体的にはたとえば、映像Ｄ／Ａ変換部５３は、図５の左から二番目の表示画面６２に示す場合のように、各表示画面の信号波形の第２０番目の水平走査周期において、各表示画面の信号波形に、時報の音の開始タイミングの値をデータとして重畳する。
【００８６】
なお、各表示画面の信号波形の第２０番目の水平走査周期には、「ＥＩＡＪ（社団法人  日本電子機械工業会：現在は社団法人  電子情報技術産業協会（ＪＥＩＴＡ））  ＣＰＲ−１２０４」として規格化されたビデオＩＤ信号が重畳されることがある。このビデオＩＤ信号は、表示画面のアスペクト比、３Ｄ情報、プルダウン情報、頭出し情報、ビデオの録画年月日、文字情報、信号形式などを伝送するための２０ビットの信号である。
【００８７】
そして、この各表示画面の信号波形の第２０番目の水平走査周期に、時報の音の開始タイミングの値をデータとして重畳する場合、たとえば以下のような方法が考えられる。具体的な例としては、ビデオＩＤ信号の「Ｗｏｒｄ１」と同じビット位置に、ビデオＩＤ信号の「Ｗｏｒｄ１」として未定義である「１０１１」を、時報の音の開始タイミングの値であることを示すヘッダとして使う。また、ビデオＩＤ信号の「Ｗｏｒｄ２」と同じビット位置に、その時報の音の開始タイミングの値（ずれ情報）を記述する。
【００８８】
「Ｗｏｒｄ２」は、１バイトである。そのため、このビデオＩＤ信号の「Ｗｏｒｄ２」と同じビット位置にその時報の音の開始タイミングの値（ずれ情報）を記述する場合に、１ミリ秒を「１」としてずれ値を記載すれば、０から２５５ミリ秒までのずれ値を１ミリ秒単位で記述することができる。２ミリ秒を「１」としてずれ値を記載すれば、０から５１１ミリ秒までのずれ値を２ミリ秒単位で記述することができる。
【００８９】
「ＥＩＡＪ  ＣＰＲ−１２０４」では、各表示画面の信号波形の第２８３番目の水平走査周期にも、各表示画面の信号波形の第２０番目の水平走査周期と同一のデータ重畳することを規定している。したがって、第２０番目の水平走査周期の替わりに、あるいは、第２０番目の水平走査周期とともに、第２８３番目の水平走査周期に、時報の音の開始タイミングの値を重畳するようにしてもよい。
【００９０】
また、たとえば第２０番目の水平走査周期には、時報の音の開始タイミングの値の上位ビットデータを重畳し、第２８３番目の水平走査周期には、時報の音の開始タイミングの値の下位ビットデータを重畳するようにしてもよい。第２０番目の水平走査周期と第２８３番目の水平走査周期とに分けて、時報の音の開始タイミングの値を重畳することで、たとえば１ミリ秒を「１」としてずれ値を記載したとしても、０から６５５３５ミリ秒までのずれ値を１ミリ秒単位で記述することが可能となる。
【００９１】
図１に戻り、ディスク再生装置２のアナログ映像出力端子５４へ出力されたアナログ映像信号は、プラズマディスプレイ装置３のアナログ映像入力端子１１と、オーディオアンプ装置４のアナログ映像入力端子２１に入力される。
【００９２】
プラズマディスプレイ装置３は、アナログ映像入力端子１１に入力されたアナログ映像信号に基づく動画を、プラズマ発光表示部１５に表示する。図５に示すように、プラズマディスプレイ装置３は、アナログの時計の秒針が５５秒の位置から０３秒の位置まで移動する動画を表示する。
【００９３】
オーディオアンプ装置４のアナログ映像入力端子２１にアナログ映像信号が入力されると、ディレイ抽出部２３は、このアナログ映像信号から、それに重畳されている再生遅延量の値を抽出する。ディレイ抽出部２３は、具体的には、各表示画面の信号波形の第２０番目の水平走査周期の波形成分から、時報の音の開始タイミングの値に対応する波形を抽出し、その波形に応じたデジタル値を生成する。ディレイ抽出部２３は、抽出した再生遅延量の値を表示部２４に出力する。表示部２４は、再生遅延量の値を表示する。これにより、たとえば再生遅延量の値が「０」秒である再生データを再生しているときには、表示部２４には「０秒」を意味する表示が表示される。
【００９４】
また、上述したように、ディスク再生装置２のＭＰＥＧ信号分離部４７は、ＭＰＥＧ信号を、ＭＰＥＧストリーム信号と、デジタルオーディオ符号化信号とに分離する。ディスク再生装置２の音声Ｄ／Ａ変換部４９は、このデジタルオーディオ符号化信号に基づいてアナログ音声信号を生成し、アナログ音声出力端子５０へ出力する。ディスク再生装置２のアナログ音声出力端子５０には、接続ケーブル８により、オーディオアンプ装置４のアナログ音声入力端子３１が接続されている。
【００９５】
オーディオアンプ装置４の音声Ａ／Ｄ変換部３２は、アナログ音声入力端子３１に入力されるアナログ音声信号をサンプリングする。デジタル遅延回路２９は、このサンプリングしたデータを、遅延データメモリ２８が記憶する遅延データの値に相当する時間で遅らせて出力する。遅延データメモリ２８には、遅延データとして「０」秒が記憶されている。したがって、デジタル遅延回路２９は、音声Ａ／Ｄ変換部３２がサンプリングしたデータを遅延させることなく直ちに出力する。音声Ｄ／Ａ変換部３３は、デジタル遅延回路２９から出力されるデジタル値に応じたレベルを出力する。これにより、音声Ｄ／Ａ変換部３３からは、アナログ音声入力端子３１に入力されるアナログ音声信号がほとんど遅延されずに出力される。
【００９６】
オーディオアンプ装置４のアンプ回路３４は、音声Ｄ／Ａ変換部３３から出力される遅延されたアナログ音声信号を増幅し、アナログ音声出力端子３５へ出力する。アナログ音声出力端子３５には、スピーカ５が接続される。スピーカ５は、アナログ音声信号に信号化されている所定の音声を出力する。これにより、スピーカ５は、再生データの音声を出力する。スピーカ５は、所定のタイミングで、時を告げる「ボーン」という音を２秒間の長さで出力する。図５の再生データの場合、スピーカ５は、再生データの開始からほぼ５秒程度の後に時を告げる「ボーン」という音を出力しはじめる。
【００９７】
以上のように、ディスク再生装置２の入力部４５が選択オブジェクト８２を選択すると、プラズマディスプレイ装置３は、その選択された選択オブジェクト８２に対応する再生データの動画を表示する。オーディオアンプ装置４に接続されたスピーカ５は、その再生データの音声を、その再生データに応じた遅延時間のタイミングで出力する。オーディオアンプ装置４の表示部２４は、その再生データにおける時報の音の開始タイミングの値を再生遅延量の値として表示する。
【００９８】
これにより、ユーザは、テストディスク１に記録されている複数の再生データを選択画面８１で選択することで１つずつ再生し、それらの複数の再生データにおける動画と音声とのずれ方の違いを聞き比べることができる。
【００９９】
そのため、たとえば、図５のアナログの時計の動画における秒針の動きに対して遅れることなく音声が出力される再生データを視聴したときに、「ボーン」という時報がなってから秒針６８が００秒の位置となるように感じる場合には、その再生データより再生遅延量が大きい再生データを選択して視聴する。ユーザは、このような再生データの視聴を繰り返し、「ボーン」という時報がなったときに秒針６８が００秒の位置となるように感じる再生データ、すなわちアナログの時計の動画における秒針６８の動きと、時を告げる音声とが一致していると感じる再生データを探す。なお、秒針６８の動きと、時を告げる音声とが一致していると感じるものが無い場合には、最も一致していると感じる再生データを探す。そして、ユーザは、その再生データを再生しているときにオーディオアンプ装置４の同期ＯＫボタンを押す。
【０１００】
オーディオアンプ装置４の入力部２６は、ユーザの操作に基づいて、その時のディレイ抽出部２３から出力されたデータを遅延データメモリ２８に設定する。
【０１０１】
遅延データメモリ２８に「０」以外の値の遅延データが記憶されている場合、デジタル遅延回路２９は、音声Ａ／Ｄ変換部３２から入力されるデジタル値を、その遅延データの値に相当する時間で遅らせて音声Ｄ／Ａ変換部３３へ出力する。したがって、オーディオアンプ装置４のアナログ音声入力端子３１に入力されるアナログ音声信号は、遅延データメモリ２８に記憶されている値の分で遅延されてから、アナログ音声出力端子３５からスピーカ５へ出力される。スピーカ５は、その値の分だけ遅れて音声を出力することになる。
【０１０２】
したがって、「０」以外の再生遅延量の値を設定した後では、図５に示すアナログの時計の動画における秒針６８の動きに対して遅れることなく音声が出力される再生データ、すなわち同期した再生データを再生すると、その再生遅延量の値の分だけ音声の出力が遅れる。
【０１０３】
その結果、図５に示すように、アナログの時計の動画における秒針６８の動きに対して遅れることなく音声が出力される再生データを視聴したときに、プラズマディスプレイ装置３に表示される秒針が００秒の位置となるときに、スピーカ５から「ボーン」という音声が聞こえるようになる。このように、図１または図７に示す同期調整システムを用いることで、プラズマディスプレイ装置３とオーディオアンプ装置４とが同期するように調整することができる。
【０１０４】
なお、たとえば図１に示す同期調整システムを用いてプラズマディスプレイ装置３とオーディオアンプ装置４とが同期するように調整した後に、ディスク再生装置２、プラズマディスプレイ装置３およびオーディオアンプ装置４の接続は、図７のように変更してもよい。このように接続関係を変更したとしても、プラズマディスプレイ装置３内での動画表示の遅延を相殺するようにオーディオアンプ装置４は音声の出力タイミングを遅らせているので、プラズマディスプレイ装置３とオーディオアンプ装置４との同期は確保される。
【０１０５】
以上のように、この実施の形態１に係る同期調整システムでは、テストディスク１に記憶されている複数の再生データの中から１つを選択し、その選択した再生データをディスク再生装置２で再生し、その選択した再生データの動画をプラズマディスプレイ装置３に表示し、且つ、その選択した再生データの音声をオーディオアンプ装置４に接続されたスピーカ５から出力することができる。
【０１０６】
また、オーディオアンプ装置４は、選択した再生データにおける動画に対する音声の再生遅延量の値を表示部２４に表示し、入力部２６から入力された数値を、アナログ音声信号の出力を遅延させる遅延データとして遅延データメモリ２８に記憶する。
【０１０７】
したがって、この実施の形態１に係る同期調整システムを用いることで、アナログ映像信号に基づいてプラズマディスプレイ装置３が表示する動画と、アナログ音声信号に基づいてオーディオアンプ装置４が出力する音声とを同期させるように調整することができる。
【０１０８】
しかも、この実施の形態１に係る同期調整システムでは、テストディスク１に記憶されている再生データを、ディスク再生装置２で再生することで、同期調整のためにプラズマディスプレイ装置３へ入力させるアナログ映像信号と、オーディオアンプ装置４へ入力させるアナログ音声信号とを発生している。
【０１０９】
また、ユーザは、動画に対する音声の再生遅延量が予め判っている複数の再生データをその遅延量の値に基づいて選択して再生することができるので、再生遅延量を変えたときの動画と音声とのずれ具合を容易に比較することができる。したがって、たとえば、動画と音声とが同期している単一の時報の動画および音声をディスク再生装置２などにおいて再生し、その状況下で遅延量を調整することで、動画と音声とが一致する遅延量を自らの感覚のみで探す場合にくらべて、ユーザは、動画と音声とが一致しているか否かを容易に判断することができる。なお、このような効果を得るためには、複数の再生データに、それら複数の再生遅延量同士の差が所定の一定値となるような組合せのもの（たとえば、再生遅延量が１０ミリ秒、２０ミリ秒、３０ミリ秒の組合せのもの）が含まれるようにするのが望ましい。
【０１１０】
また、プラズマディスプレイ装置３とオーディオアンプ装置４とを組み合わせて使用する場合において事前にこの実施の形態１に係る同期調整システムを用いてそれらの動画と音声とが同期するように調整することで、たとえばディスク再生装置２で映画、コンサート、録画番組などを再生したときに、動画に対する音のずれによる違和感を感ずることなく鑑賞することができる。
【０１１１】
実施の形態２．
本発明の実施の形態２に係る同期調整システムは、テストディスク１と、ディスク再生装置２と、プラズマディスプレイ装置３と、オーディオアンプ装置４と、スピーカ５と、を有する。これらの接続関係は、図１と同様である。
【０１１２】
図８は、本発明の実施の形態２に係るオーディオアンプ装置４の構成を示すブロック図である。オーディオアンプ装置４は、選択指示入力手段の一部および遠隔入力ユニットとしてのリモコンユニット９１と、選択指示入力手段の一部および受信ユニットとしての受光部９２と、モード判定部９３と、設定手段としての遅延データ設定部９４と、を有する。
【０１１３】
リモコンユニット９１は、オーディオアンプ装置４とは別体に形成され、図示外のテンキーや選択ボタンなどの操作ボタンを有し、この操作ボタンに対する操作に基づいて、数値や指示を出力する。リモコンユニット９１は、数値や指示を、赤外線に乗せて無線送信する。
【０１１４】
受光部９２は、赤外線を受光する。受光部９２は、受光した赤外線から、数値や指示を抽出して出力する。
【０１１５】
モード判定部９３は、オーディオアンプ装置４のモードを判定する。オーディオアンプ装置４は、通常のモードと、遅延データ設定モードとを有する。通常のモードでは、オーディオアンプ装置４は、アナログ音声入力端子に入力された信号を、遅延データメモリ２８に設定された時間で遅延してアナログ音声出力端子から出力する。遅延データ設定モードでは、オーディオアンプ装置４は、遅延データメモリに遅延データを設定するための処理を実行する。
【０１１６】
遅延データ設定部９４は、ディレイ抽出部２３が抽出した再生遅延量の値を、遅延データとして遅延データメモリ２８に記憶させる。
【０１１７】
なお、オーディオアンプ装置４のこれ以外の構成要素は、実施の形態１のオーディオアンプ装置４の同名の構成要素と同じ機能を有するものであり、実施の形態１と同一の符号を付して説明を省略する。また、本発明の実施の形態２に係るテストディスク１、ディスク再生装置２、プラズマディスプレイ装置３、ならびに、スピーカ５についての詳細な構成要素は、実施の形態１に係る同名のものの構成要素と同じ機能を有するものであり、実施の形態１と同一の符号を付して説明を省略する。
【０１１８】
次に、本発明の実施の形態２に係る音声同期システムを用いた、プラズマディスプレイ装置３とオーディオアンプ装置４との同期を調整する調整方法について説明する。
【０１１９】
ユーザは、まず、接続ケーブル８を用いて、図１あるいは図７に示すように、ディスク再生装置２と、プラズマディスプレイ装置３と、オーディオアンプ装置４とを接続する。
【０１２０】
ディスク再生装置２、プラズマディスプレイ装置３およびオーディオアンプ装置４を互いに接続した後、ユーザは、リモコンユニット９１を操作して、オーディオアンプ装置４を遅延データ設定モードに設定する。リモコンユニット９１は、ユーザの操作に基づいて、遅延データ設定モードに設定する指示を赤外線送信する。オーディオアンプ装置４の受光部９２は、この赤外線を受光し、遅延データ設定モードに設定する指示をモード判定部９３へ出力する。
【０１２１】
モード判定部９３は、受光部９２から入力された指示に基づいて、オーディオアンプ装置４を遅延データ設定モードに設定する。具体的には、モード判定部９３は、遅延データメモリ２８をリセットする。遅延データメモリ２８は、リセットされることで、遅延データの値として「０」秒を記憶する。
【０１２２】
オーディオアンプ装置４が遅延データ設定モードで動作しはじめた後、ユーザは、テストディスク１をディスク再生装置２にセットし、ディスク再生装置２の入力部４５を操作する。これにより、テストディスク１の再生が開始され、ディスク再生装置２からアナログ映像信号とアナログ音声信号とが出力される。プラズマディスプレイ装置３のプラズマ発光表示部１５には、まず、図６に示すテストデータの選択画面８１が表示される。
【０１２３】
プラズマディスプレイ装置３にテストデータの選択画面８１が表示されたら、ユーザは、その選択画面８１に表示される複数の選択オブジェクト８２の中から、選択オブジェクト８２を選択する。これにより、ディスク再生装置２からは、選択された再生データの動画を含むアナログ映像信号と、選択された再生データの音声を含むアナログ音声信号と、が出力される。アナログ映像信号の各表示画面の信号波形の第２０番目の水平走査周期には、再生データにおける動画に対する音声の再生遅延量の値が重畳される。
【０１２４】
プラズマディスプレイ装置３は、ディスク再生装置２から出力されたアナログ映像信号に基づいて、図５に示すような動画を表示する。オーディオアンプ装置４のディレイ抽出部２３は、このアナログ映像信号の各表示画面の信号波形の第２０番目の水平走査周期の波形成分から、再生遅延量の値を抽出する。オーディオアンプ装置４の表示部２４は、この再生遅延量の値を表示する。
【０１２５】
オーディオアンプ装置４の音声Ａ／Ｄ変換部３２は、ディスク再生装置２から出力されたアナログ音声信号をサンプリングする。デジタル遅延回路２９は、このサンプリングしたデータを、遅延データメモリ２８が記憶する遅延データの値に相当する時間で遅らせて出力する。遅延データ設定モードの最初では、遅延データメモリ２８には、遅延データとして「０」秒が記憶されている。したがって、デジタル遅延回路２９は、音声Ａ／Ｄ変換部３２がサンプリングしたデータを遅延させることなく直ちに出力する。音声Ｄ／Ａ変換部３３は、デジタル遅延回路２９から出力されるデジタル値に応じたレベルを出力する。これにより、音声Ｄ／Ａ変換部３３からは、アナログ音声入力端子３１に入力されるアナログ音声信号がほとんど遅延されずに出力される。スピーカ５は、このアナログ音声信号に基づいて、アナログ音声信号に信号化されている所定の音声を出力する。スピーカ５は、所定のタイミングで、時を告げる「ボーン」という音を２秒間の長さで出力する。
【０１２６】
ユーザは、テストディスク１に記録されている複数の再生データを選択画面８１で選択することで１つずつ再生し、それらの複数の再生データにおける動画に対する音声のずれ方の違いを聞き比べる。再生する再生データが変わると、それに基づいてアナログ映像信号に含まれる再生遅延量の値も変わり、ディレイ抽出部２３が抽出する再生遅延量の値も変わる。
【０１２７】
そして、ユーザは、プラズマディスプレイ装置３に表示される所定の動画と、スピーカ５から出力される所定の音声とが同期したと判断したら、リモコンユニット９１を操作する。リモコンユニット９１は、ユーザの操作に基づいて、選択指示を赤外線送信する。受光部９２は、この赤外線を受光し、選択指示を遅延データ設定部９４へ出力する。遅延データ設定部９４は、選択指示が入力されると、その選択指示が入力されたときにディレイ抽出装置が抽出している再生遅延量の値を、遅延データとして遅延データメモリ２８に記憶させる。以上の処理により、遅延データ設定モードは、終了する。
【０１２８】
遅延データ設定モードが終了した時点において遅延データメモリ２８に「０」以外の値の遅延データが記憶されている場合には、デジタル遅延回路２９は、その後に音声Ａ／Ｄ変換部３２から入力されるデジタル値を、その遅延データの値に相当する時間で遅らせて音声Ｄ／Ａ変換部３３へ出力する。したがって、オーディオアンプ装置４のアナログ音声入力端子３１に入力されるアナログ音声信号は、遅延データメモリ２８に記憶されている値の分で遅延されてから、アナログ音声出力端子３５からスピーカ５へ出力される。スピーカ５は、その値の分だけ遅れて音声を出力することになる。その結果、プラズマディスプレイ装置３に表示される動画とオーディオアンプ装置４から出力される音声とは同期する。
【０１２９】
以上のように、この実施の形態２に係る同期調整システムでは、テストディスク１に記憶されている複数の再生データの中から１つを選択し、その選択した再生データをディスク再生装置２で再生し、その選択した再生データの動画をプラズマディスプレイ装置３に表示し、且つ、その選択した再生データの音声をオーディオアンプ装置４に接続されたスピーカ５から出力することができる。また、オーディオアンプ装置４は、リモコンユニット９１の選択信号に基づいて、ディレイ抽出部２３が抽出している再生遅延量の値を、遅延データとして遅延データメモリに記憶する。したがって、プラズマディスプレイ装置３とオーディオアンプ装置４とを同期させることができる。
【０１３０】
また、ユーザは、動画に対する音声の再生遅延量が予め判っている複数の再生データをその遅延量の値に基づいて選択して再生することができるので、特に、動画に対して音声が遅延している再生データを選択して再生することができるので、再生遅延量を変えたときの動画と音声とのずれ具合を容易に比較することができる。したがって、たとえば、動画と音声とが同期している単一の時報の動画および音声をディスク再生装置２などにおいて再生し、その状況下で遅延量を調整することで、動画と音声とが一致する遅延量を自らの感覚のみで探す場合にくらべて、ユーザは、動画と音声とが一致しているか否かを容易に判断することができる。なお、このような効果を得るためには、複数の再生データに、それら複数の再生遅延量同士の差が所定の一定値となるような組合せのもの（たとえば、再生遅延量が１０ミリ秒、２０ミリ秒、３０ミリ秒の組合せのもの）が含まれるようにするのが望ましい。
【０１３１】
また、プラズマディスプレイ装置２とオーディオアンプ装置４とを組み合わせて使用する場合において事前にこの実施の形態２に係る同期調整システムを用いてそれらの動画と音声とが同期するように調整することで、たとえばディスク再生装置２で映画、コンサート、録画番組などを再生したときに、動画に対する音のずれによる違和感を感ずることなく鑑賞することができる。
【０１３２】
実施の形態３．
図９は、本発明の実施の形態３に係る同期調整システムを示す図である。同期調整システムは、プラズマディスプレイ装置３と、オーディオアンプ装置４と、スピーカ５と、を有する。
【０１３３】
図１０は、図９中のオーディオアンプ装置４の構成を示すブロック図である。オーディオアンプ装置４は、モード判定部１０１と、信号発生手段としてのテストデータ発生部１０２と、映像入力切替手段としての映像入力切替回路１０３と、音声入力切替回路１０３と、を有する。
【０１３４】
モード判定部１０１は、オーディオアンプ装置４のモードを判定する。オーディオアンプ装置４は、通常のモードと、遅延データ設定モードとを有する。通常のモードでは、オーディオアンプ装置４は、アナログ音声入力端子に入力された信号を、遅延データメモリ２８に設定された時間で遅延してアナログ音声出力端子から出力する。遅延データ設定モードでは、オーディオアンプ装置４は、遅延データメモリに遅延データを設定するための処理を実行する。
【０１３５】
テストデータ発生部１０２は、アナログ映像信号を、映像入力切替回路１０３へ出力する。テストデータ発生部１０２が出力するアナログ映像信号は、実施の形態１のディスク再生装置２が出力するものと同じものである。テストデータ発生部１０２は、アナログ音声信号をサンプリングしたアナログ音声サンプリング信号を、音声入力切替回路１０４へ出力する。アナログ音声サンプリング信号は、実施の形態１のディスク再生装置２のオーディオデコーダ４８が出力する信号と同じものである。
【０１３６】
また、テストデータ発生部１０２は、アナログ映像信号およびアナログ音声サンプリング信号を、所定の再生遅延量で出力する。テストデータ発生部１０２は、その再生遅延量の値を、表示部２４に出力する。表示部２４は、再生遅延量の値を表示する。
【０１３７】
なお、テストデータ発生部１０２のさらに詳しい構成要素は、たとえば実施の形態１のディスク再生装置２を参考にすればよい。テストデータ発生部１０２は、たとえば、図示外の半導体メモリに、時計の秒針が５５秒の位置から０３秒の位置まで動く動画および時を告げる「ボーン」という音声のデータをたとえばＭＰＥＧ信号として記憶し、図示外のＭＰＥＧ信号分離部がこのＭＰＥＧ信号を読み出してＭＰＥＧストリーム信号とデジタルオーディオ符号化信号とに分離し、図示外のＭＰＥＧストリームデコーダがＭＰＥＧストリーム信号をデコードし、図示外の映像Ｄ／Ａ変換部がこのデコードされた映像の信号に基づいてアナログ映像信号を生成し、さらに、図示外のオーディオデコーダがデジタルオーディオ符号化信号をデコードしてアナログ音声サンプリング信号を生成するようにすればよい。
【０１３８】
映像入力切替回路１０３は、アナログ映像入力端子２１と、テストデータ発生部１０２とが接続される。映像入力切替回路１０３は、アナログ映像入力端子２１とテストデータ発生部１０２との中から一方を選択し、選択したものからのアナログ映像信号をアナログ映像出力端子へ出力する。
【０１３９】
音声入力切替回路１０３は、アナログ音声入力端子３１が接続される。音声入力切替回路１０３は、通常、アナログ音声入力端子３１からのアナログ音声信号を音声Ａ／Ｄ変換部３２へ出力する。音声入力切替回路１０３は、ミュート状態では、音声Ａ／Ｄ変換部３２へアナログ音声信号を出力しない。
【０１４０】
なお、オーディオアンプ装置４のこれ以外の構成要素は、実施の形態１のオーディオアンプ装置４の同名の構成要素と同じ機能を有するものであり、実施の形態１と同一の符号を付して説明を省略する。また、本発明の実施の形態２に係るプラズマディスプレイ装置３、ならびに、スピーカ５についての詳細な構成要素は、実施の形態１に係る同名のものの構成要素と同じ機能を有するものであり、実施の形態１と同一の符号を付して説明を省略する。
【０１４１】
次に、本発明の実施の形態３に係る音声同期システムを用いた、プラズマディスプレイ装置３とオーディオアンプ装置４との同期を調整する調整方法について説明する。
【０１４２】
ユーザは、まず、接続ケーブル８を用いて、図９に示すように、オーディオアンプ装置４のアナログ映像出力端子２２と、プラズマディスプレイ装置３のアナログ映像入力端子１１とを接続する。
【０１４３】
プラズマディスプレイ装置３およびオーディオアンプ装置４を互いに接続した後、ユーザは、入力部２６を操作して、オーディオアンプ装置４を遅延データ設定モードに設定する。入力部２６は、遅延データ設定モードに設定する指示をモード判定部１０１へ出力する。
【０１４４】
モード判定部１０１は、入力部２６から入力された指示に基づいて、オーディオアンプ装置４を遅延データ設定モードに設定する。具体的には、モード判定部１０１は、映像入力切替回路１０３にテストデータ発生部１０２を選択させ、音声入力切替回路１０４に入力信号をミュートさせ、テストデータ発生部１０２に信号の出力開始を指示する。
【０１４５】
ユーザは、オーディオアンプ装置４を遅延データ設定モードに設定した後、入力部２６を操作し、動画に対する音声の再生遅延量の値を入力する。入力部２６は、入力された再生遅延量の値をテストデータ発生部１０２へ出力する。なお、入力部２６は、たとえばユーザによる図示外のアップダウンキーなどの操作に基づいて、所定の再生遅延量の値を生成してテストデータ発生部１０２へ出力するようにしてもよい。
【０１４６】
テストデータ発生部１０２は、アナログ映像信号およびアナログ音声サンプリング信号の出力を開始する。テストデータ発生部１０２は、アナログ映像信号の出力を開始してから、入力部２６から入力された再生遅延量の値に相当する時間の後に、アナログ音声サンプリング信号の出力を開始する。また、テストデータ発生部１０２は、出力する動画に対する出力する音声の再生遅延量の値を表示部２４に表示させる。
【０１４７】
テストデータ発生部１０２から出力されたアナログ映像信号は、映像入力切替回路１０３およびアナログ映像信号出力端子２２を介して、オーディオアンプ装置４から出力される。オーディオアンプ装置４から出力されたアナログ映像信号は、プラズマディスプレイ装置３に入力される。プラズマディスプレイ装置３は、入力されたアナログ映像信号に基づく動画を表示する。
【０１４８】
テストデータ発生部１０２から出力されたアナログ音声サンプリング信号は、音声Ｄ／Ａ変換部３３に入力される。音声Ｄ／Ａ変換部３３は、アナログ音声サンプリング信号の値に応じたレベルを出力する。音声Ｄ／Ａ変換部３３は、アナログ音声サンプリング信号に基づくアナログ音声信号を出力する。音声Ｄ／Ａ変換部３３から出力されるアナログ音声信号は、アンプ回路３４で増幅され、オーディオアンプ装置４のアナログ音声出力端子３５からスピーカ５へ出力される。スピーカ５は、アナログ音声信号に基づく音声を出力する。
【０１４９】
ユーザは、プラズマディスプレイ装置３に表示される動画と、オーディオアンプ装置４から出力される音声とを視聴する。ユーザは、動画と音声とのずれ方の違いを聞き比べる。
【０１５０】
そして、ユーザは、プラズマディスプレイ装置３に表示される動画と、スピーカ５から出力される所定の音声とが同期していないと判断したら、入力部２６を操作し、新たな再生遅延量の値を入力する。たとえば、動画より音声が先行していると判断したら、ユーザは、表示部２４に表示されている再生遅延量の値より大きな値を入力する。動画より音声が遅れていると判断したら、ユーザは、表示部２４に表示されている再生遅延量の値より小さな値を入力する。入力部２６は、入力された数値をテストデータ発生部１０２へ出力する。テストデータ発生部１０２は、新たに入力された数値の再生遅延量にて、アナログ映像信号とアナログ音声サンプリング信号とを出力する。テストデータ発生部１０２は、新たに入力された数値を表示部２４に表示させる。
【０１５１】
なお、入力部２６は、たとえばユーザによる図示外のアップダウンキーなどの操作に基づいて、その入力時に設定されている再生遅延量の値を所定値ずつ増減させた再生遅延量の値を生成し、その生成した再生遅延量の値をテストデータ発生部１０２へ出力するようにしてもよい。
【０１５２】
ユーザは、画面を選択して、プラズマディスプレイ装置３に表示される動画と、スピーカ５から出力される所定の音声とが同期していると判断する画面になったら、表示部２４に表示されている再生遅延量の値を入力する。表示部２４には、そのときに表示している再生遅延量の値が出力される。
【０１５３】
遅延データ設定部２７は、入力部２６からある値が入力されると、その値を遅延データとして遅延データメモリ２８に記憶させる。以上の処理により、遅延データ設定モードは、終了する。
【０１５４】
遅延データ設定モードにおいて遅延データメモリ２８に「０」以外の値の遅延データが記憶された場合、デジタル遅延回路２９は、その後の通常のモードにおいては、音声Ａ／Ｄ変換部３２から入力されるデジタル値を、その遅延データの値に相当する時間で遅らせて音声Ｄ／Ａ変換部３３へ出力する。したがって、オーディオアンプ装置４のアナログ音声入力端子３１に入力されるアナログ音声信号は、遅延データメモリ２８に記憶されている値の分で遅延されてから、アナログ音声出力端子３５からスピーカ５へ出力される。スピーカ５は、その値の分だけ遅れて音声を出力することになる。その結果、プラズマディスプレイ装置３に表示される動画とオーディオアンプ装置４から出力される音声とは同期する。
【０１５５】
以上のように、この実施の形態３に係る同期調整システムでは、オーディオアンプ装置４のテストデータ生成部１０２が、ある再生遅延量で動画および音声を出力する。また、オーディオアンプ装置４の遅延データ設定部２７は、入力部２６から入力された再生遅延量の値を遅延データとして遅延データメモリ２８に記憶させる。したがって、プラズマディスプレイ装置３とオーディオアンプ装置４とを同期させることができる。
【０１５６】
しかも、この実施の形態３に係る同期調整システムでは、オーディオアンプ装置４において同期調整に使用する動画および音声を生成して出力しているので、たとえば同期調整のためのアナログ映像信号とアナログ音声信号とを発生する専用の映像及び音声信号発生装置を使用することなく同期調整をすることができる。
【０１５７】
その結果、プラズマディスプレイ装置３とオーディオアンプ装置４とを購入したユーザが自宅において、特別な専用機器を購入したりすることなく、簡単に、それらの同期調整を実施することができる。
【０１５８】
また、ユーザは、動画に対する音声の再生遅延量を自ら選択あるいは設定して再生データを再生することができるので、特に、動画に対して音声が遅延している再生データを選択あるいは設定して再生することができるので、再生遅延量を変えたときの動画と音声とのずれ具合を容易に比較することができる。したがって、たとえば、動画と音声とが同期している単一の時報の動画および音声をディスク再生装置２などにおいて再生し、その状況下で遅延量を調整することで、動画と音声とが一致する遅延量を自らの感覚のみで探す場合にくらべて、ユーザは、動画と音声とが一致しているか否かを容易に判断することができる。なお、このような効果を得るためには、再生データの再生遅延量は、たとえば１０ミリ秒、２０ミリ秒、３０ミリ秒などのように、所定の一定値毎に変化するように設定あるいは選択できるようにするのが望ましい。
【０１５９】
また、プラズマディスプレイ装置２とオーディオアンプ装置４とを組み合わせて使用する場合において事前にこの実施の形態３に係る同期調整システムを用いてそれらの動画と音声とが同期するように調整することで、たとえばディスク再生装置２で映画、コンサート、録画番組などを再生したときに、動画に対する音のずれによる違和感を感ずることなく鑑賞することができる。
【０１６０】
なお、この実施の形態３では、テストデータ発生部１０２は、アナログ音声サンプリング信号を音声Ｄ／Ａ変換部３３へ出力している。この他にもたとえば、テストデータ発生部１０２は、アナログ音声信号を音声入力切替回路１０４へ出力するようにしてもよい。ただし、この場合、テストデータ発生部１０２は、オーディオデコーダの後段として、図示外の音声Ｄ／Ａ変換部が必要となる。しかも、テストデータ発生部１０２が出力するアナログ音声信号は、デジタル遅延回路２９を介して音声Ｄ／Ａ変換部３３へ出力される。そのため、遅延データ設定モードでは、その最初において、遅延データメモリ２８をリセットする必要がある。遅延データ設定モードの最初において遅延データメモリ２８をリセットした場合、その後に遅延データ設定モードを中断したとしても、遅延データメモリ２８には、それまでに使用していた遅延データが記憶されなくなる。
【０１６１】
実施の形態４．
本発明の実施の形態４に係る同期調整システムは、プラズマディスプレイ装置３と、オーディオアンプ装置４と、スピーカ５と、を有する。これらの接続関係は、図９と同様である。
【０１６２】
図１１は、本発明の実施の形態４に係るオーディオアンプ装置４の構成を示すブロック図である。オーディオアンプ装置４は、選択指示入力手段の一部および遠隔入力ユニットとしてのリモコンユニット１１１と、選択指示入力手段の一部および受信ユニットとしての受光部１１２と、設定手段としての遅延データ設定部１１３と、を有する。
【０１６３】
リモコンユニット１１１は、オーディオアンプ装置４とは別体に形成され、図示外のテンキーや選択ボタンなどの操作ボタンを有し、この操作ボタンに対する操作に基づいて、数値や指示を出力する。リモコンユニット１１１は、数値や指示を、赤外線に乗せて無線送信する。
【０１６４】
受光部１１２は、赤外線を受光する。受光部１１２は、受光した赤外線から、数値や指示を抽出して出力する。
【０１６５】
遅延データ設定部１１３は、テストデータ発生部１０２が出力する再生遅延量の値を、遅延データとして遅延データメモリ２８に記憶させる。
【０１６６】
なお、オーディオアンプ装置４のこれ以外の構成要素は、実施の形態３のオーディオアンプ装置４の同名の構成要素と同じ機能を有するものであり、実施の形態３と同一の符号を付して説明を省略する。また、本発明の実施の形態４に係るプラズマディスプレイ装置３、ならびに、スピーカ５についての詳細な構成要素は、実施の形態１に係る同名のものの構成要素と同じ機能を有するものであり、実施の形態１と同一の符号を付して説明を省略する。
【０１６７】
次に、本発明の実施の形態４に係る音声同期システムを用いた、プラズマディスプレイ装置３とオーディオアンプ装置４との同期を調整する調整方法について説明する。
【０１６８】
ユーザは、まず、接続ケーブル８を用いて、図９に示すように、オーディオアンプ装置４のアナログ映像出力端子２２と、プラズマディスプレイ装置３のアナログ映像入力端子１１とを接続する。
【０１６９】
プラズマディスプレイ装置３およびオーディオアンプ装置４を互いに接続した後、ユーザは、リモコンユニット１１１を操作して、オーディオアンプ装置４を遅延データ設定モードに設定する。リモコンユニット１１１は、ユーザの操作に基づいて、遅延データ設定モードに設定する指示を赤外線送信する。オーディオアンプ装置４の受光部１１２は、この赤外線を受光し、遅延データ設定モードに設定する指示をモード判定部１０１へ出力する。
【０１７０】
モード判定部１０１は、受光部１１２から入力された指示に基づいて、オーディオアンプ装置４を遅延データ設定モードに設定する。具体的には、モード判定部１０１は、映像入力切替回路１０３にテストデータ発生部１０２を選択させ、音声入力切替回路１０４に入力信号をミュートさせ、テストデータ発生部１０２に信号の出力開始を指示する。
【０１７１】
ユーザは、オーディオアンプ装置４を遅延データ設定モードに設定した後、リモコンユニット１１１を操作する。リモコンユニット１１１は、再生遅延量の値をテストデータ発生部１０２へ送信する。なお、リモコンユニット１１１は、たとえばユーザによる図示外のアップダウンキーなどの操作に基づいて、所定の再生遅延量の値を生成して赤外線で送信すればよい。受光部１１２は、リモコンユニット１１１が出力した赤外線を受光し、その赤外線に含まれる再生遅延量の値をテストデータ発生部１０２へ出力する。
【０１７２】
テストデータ発生部１０２は、アナログ映像信号およびアナログ音声サンプリング信号の出力を開始する。テストデータ発生部１０２は、アナログ映像信号の出力を開始してから、受光部１１２から入力された再生遅延量の値に相当する時間の後に、アナログ音声サンプリング信号の出力を開始する。これにより、プラズマディスプレイ装置３は、動画を表示し、スピーカ５は音声を出力する。また、テストデータ発生部１０２は、出力する動画に対する出力する音声の再生遅延量の値を表示部２４に表示させる。
【０１７３】
ユーザは、プラズマディスプレイ装置３に表示される動画と、オーディオアンプ装置４から出力される音声とを視聴する。ユーザは、動画と音声とのずれ方の違いを聞き比べる。
【０１７４】
そして、ユーザは、プラズマディスプレイ装置３に表示される動画と、スピーカ５から出力される所定の音声とが同期していないと判断したら、リモコンユニット１１１を操作する。リモコンユニット１１１は、新たな再生遅延量の値を生成して送信する。テストデータ発生部１０２は、受光部１１２を介して新たに入力された数値の再生遅延量にて、アナログ映像信号とアナログ音声サンプリング信号とを出力する。プラズマディスプレイ装置３とオーディオアンプ装置４は、新たな再生遅延量に基づいて動画および音声を出力する。
【０１７５】
なお、リモコンユニット１１１は、たとえばユーザによる図示外のアップダウンキーなどの操作に基づいて、その入力時に設定されている再生遅延量の値を所定値ずつ増減させた再生遅延量の値を生成し、その生成した再生遅延量の値を送信するようにしてもよい。
【０１７６】
ユーザは、プラズマディスプレイ装置３に表示される動画と、スピーカ５から出力される所定の音声とが同期していると判断したら、リモコンユニット１１１を操作する。この操作は、たとえば図示外の確定キーに対するものであればよい。リモコンユニット１１１は、設定指示を送信する。受光部１１２は、設定指示を含む赤外線を受光し、その赤外線に含まれる設定指示を遅延データ設定部１１３へ出力する。
【０１７７】
遅延データ設定部１１３は、受光部１１２から設定指示が入力されると、そのときにテストデータ発生部１０２が出力している再生遅延量の値を取得し、その取得した再生遅延量の値を遅延データとして遅延データメモリ２８に記憶させる。以上の処理により、遅延データ設定モードは、終了する。
【０１７８】
遅延データ設定モードにおいて遅延データメモリ２８に「０」以外の値の遅延データが記憶されている場合、デジタル遅延回路２９は、その後の通常のモードにおいては、音声Ａ／Ｄ変換部３２から入力されるデジタル値を、その遅延データの値に相当する時間で遅らせて音声Ｄ／Ａ変換部３３へ出力する。したがって、オーディオアンプ装置４のアナログ音声入力端子３１に入力されるアナログ音声信号は、遅延データメモリ２８に記憶されている値の分で遅延されてから、アナログ音声出力端子３５からスピーカ５へ出力される。スピーカ５は、その値の分だけ遅れて音声を出力することになる。その結果、プラズマディスプレイ装置３に表示される動画とオーディオアンプ装置４から出力される音声とは同期する。
【０１７９】
以上のように、この実施の形態４に係る同期調整システムでは、オーディオアンプ装置４のテストデータ生成部１０２が、ある再生遅延量の値で動画および音声を出力する。また、オーディオアンプ装置４の遅延データ設定部１１３は、リモコンユニット１１１にて選択指示がなされたときにテストデータ発生部１０２が出力している再生遅延量の値を遅延データとして遅延データメモリ２８に記憶させる。したがって、プラズマディスプレイ装置３とオーディオアンプ装置４とを同期させることができる。
【０１８０】
しかも、この実施の形態４に係る同期調整システムでは、オーディオアンプ装置４において同期調整に使用する動画および音声を生成して出力しているので、たとえば同期調整のためのアナログ映像信号とアナログ音声信号とを発生する専用の映像及び音声信号発生装置を使用することなく同期調整をすることができる。
【０１８１】
その結果、プラズマディスプレイ装置３とオーディオアンプ装置４とを購入したユーザが自宅において、特別な専用機器を購入したりすることなく、簡単に、それらの同期調整を実施することができる。
【０１８２】
また、ユーザは、動画に対する音声の再生遅延量を自ら選択あるいは設定して再生データを再生することができるので、特に、動画に対して音声が遅延している再生データを選択あるいは設定して再生することができるので、再生遅延量を変えたときの動画と音声とのずれ具合を容易に比較することができる。ユーザは、再生遅延量を変化させたときの、動画と音声とのずれ方の変化の程度を学習することができる。したがって、たとえば、動画と音声とが同期している単一の時報の動画および音声をディスク再生装置２などにおいて再生し、その状況下で遅延量を調整することで、動画と音声とが一致する遅延量を自らの感覚のみで探す場合にくらべて、ユーザは、動画と音声とが一致しているか否かを容易に判断することができる。なお、このような効果を得るためには、再生データの再生遅延量は、たとえば１０ミリ秒、２０ミリ秒、３０ミリ秒などのように、所定の一定値毎に変化するように設定あるいは選択できるようにするのが望ましい。
【０１８３】
また、プラズマディスプレイ装置２とオーディオアンプ装置４とを組み合わせて使用する場合において事前にこの実施の形態４に係る同期調整システムを用いてそれらの動画と音声とが同期するように調整することで、たとえばディスク再生装置２で映画、コンサート、録画番組などを再生したときに、動画に対する音のずれによる違和感を感ずることなく鑑賞することができる。
【０１８４】
以上の各実施の形態は、本発明の好適な実施の形態の例であるが、本発明はこれに限定されるものではなく、発明の要旨を逸脱しない範囲において、種々の変形、変更が可能である。
【０１８５】
たとえば、上記各実施の形態では、ディスク再生装置２、プラズマディスプレイ装置３およびオーディオアンプ装置４の間で、アナログ映像信号およびアナログ音声信号を送受している。この他にもたとえば、ディスク再生装置２、プラズマディスプレイ装置３およびオーディオアンプ装置４の間で、少なくもと動画を含むデジタル映像信号および少なくとも音声を含むデジタル音声信号を送受するようにしてもよい。
【０１８６】
このようなデジタル映像信号あるいはデジタル音声信号として使用できる信号としては、たとえばＭＰＥＧ−ＴＳなどのＭＰＥＧ信号がある。ＭＰＥＧ−ＴＳには、動画および音声を格納することができる。したがって、このようにデジタルの信号で動画および音声を送受する場合、動画および音声を１つのデジタル信号として上記機器間で送受するようにしてもよい。また、ＭＰＥＧ−ＴＳでは、そのプライベートストリームに任意の情報を格納することができる。したがって、映像に対する音声の再生遅延量の値は、このプライベートストリームに格納して伝送すればよい。
【０１８７】
図１２は、ディスク再生装置２、プラズマディスプレイ装置３およびオーディオアンプ装置４を、ＩＥＥＥ（ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）１３９４規格に準拠した光ケーブル１２１で接続した場合の同期調整システムを示す図である。なお、図１２には、映像および信号の伝送系のみを示している。ＩＥＥＥ１３９４は、複数の機器同士を光ケーブル１２１などで接続し、これらの機器間でデジタルデータを伝送するための規格である。機器間でデジタルデータを伝送するための規格としては、この他にもＵＳＢ（Ｕｎｉｖｅｒｓａｌ  Ｓｅｒｉａｌ  Ｂｕｓ）などがある。
【０１８８】
図１２において、ディスク再生装置２は、ＭＰＥＧ信号を送出するトランシーバ１２２を有し、プラズマディスプレイ装置３およびオーディオアンプ装置４は、ＭＰＥＧ信号を受信するレシーバ１２３，１２４を有する。ディスク再生装置２が、テストディスク１の再生データに基づいて生成するＭＰＥＧ信号は、トランシーバ１２２から各レシーバ１２３，１２４に送信される。
【０１８９】
プラズマディスプレイ装置３のＭＰＥＧ信号分離部１２５は、レシーバ１２３が受信したＭＰＥＧ信号から、動画のデータを分離する。信号処理部１３は、動画のデータに基づいて表示画面毎の二次元画像データを生成する。これにより、プラズマディスプレイ装置３のプラズマ発光表示部１５には、ＭＰＥＧ信号に基づく動画が表示される。
【０１９０】
オーディオアンプ装置のＭＰＥＧ信号分離部１２６は、レシーバ１２４が受信したＭＰＥＧ信号をＭＰＥＧストリーム信号とデジタルオーディオ符号化信号とに分離する。デジタル遅延回路２９は、デジタルオーディオ符号化信号を、図示外の遅延データメモリに記憶されている遅延データの値に基づいて遅延させて出力する。ディレイ抽出部２３は、ＭＰＥＧストリーム信号のプライベートストリームから、映像に対する音声の再生遅延量の値を抽出し、表示部２４に表示させる。
【０１９１】
このように図１２に示す同期調整システムでは、ディスク再生装置２、プラズマディスプレイ装置３およびオーディオアンプ装置４の間で、動画および音声を有するＭＰＥＧ信号を送受し、このＭＰＥＧ信号の動画および音声に基づいて、プラズマディスプレイ装置３およびオーディオアンプ装置４が同期するように調整することができる。
【０１９２】
図１３は、プラズマディスプレイ装置３およびオーディオアンプ装置４を、ＩＥＥＥ１３９４規格に準拠した光ケーブル１２１で接続した場合の同期調整システムを示す図である。なお、図１３には、映像および信号の伝送系のみを示している。
【０１９３】
オーディオアンプ装置４は、ＭＰＥＧテストデータ発生部１３１と、トランスミッタレシーバ１３２と、を有する。ＭＰＥＧテストデータ発生部１３１は、同期調整のための動画および音声を含むＭＰＥＧ信号を出力する。トランスミッタレシーバ１３２は、このトランスミッタレシーバ１３２を光ケーブル１２１およびＭＰＥＧ信号分離部１２６へ出力する。プラズマディスプレイ装置３は、そのレシーバ１２３がこのＭＰＥＧ信号を受信し、ＭＰＥＧ信号に基づく画像をプラズマ発光表示部１５に表示する。
【０１９４】
オーディオアンプ装置４のＭＰＥＧ信号分離部１２６は、トランスミッタレシーバ１３２から入力されるＭＰＥＧ信号を分離する。デジタル遅延回路２９は、デジタルオーディオ符号化信号を、図示外の遅延データメモリに記憶されている遅延データの値に基づいて遅延させて出力する。ディレイ抽出部２３は、ＭＰＥＧストリーム信号のプライベートストリームから、映像に対する音声の再生遅延量の値を抽出し、表示部２４に表示させる。
【０１９５】
このように図１３に示す同期調整システムでは、オーディオアンプ装置４からプラズマディスプレイ装置３へ動画および音声を有するＭＰＥＧ信号を送信し、このＭＰＥＧ信号の動画および音声に基づいて、プラズマディスプレイ装置３およびオーディオアンプ装置４が同期するように調整することができる。
【０１９６】
上記実施の形態１および３では、再生データにおける動画に対する音声の再生遅延量の値を、オーディオアンプ装置４の表示部２４に表示している。この他にたとえば、再生データにおける動画に対する音声の再生遅延量の値は、ディスク再生装置２やプラズマディスプレイ装置３に表示するようにしてもよい。特に、プラズマディスプレイ装置３に表示する表示画面内に、再生データにおける動画に対する音声の再生遅延量の値を表示するようにしてもよい。
【０１９７】
上記各実施の形態では、再生データにおける動画および音声として、アナログ時計の動画および時報を使用している。この他にもたとえば、メトロノームの動画とメトロノーム音とか、歌っている人（の口）の動画とその歌声とか、バイオリン（の弓の）などの弦楽器の動画とその音色とか、太鼓などの打楽器の動画とその音とか、白黒で反転する動画とそれに合わせた音などといった組合せの動画および音声を、再生データに共通する動画および音声として使用してもよい。
【０１９８】
上記各実施の形態では、複数の再生データは、動画と音声とが同期しているものと、動画より音声が送れているものとで構成されている。この他にもたとえば、複数の再生データの中に、動画より音声が進んでいるものが含まれていてもよい。近年のオーディオアンプ装置などにおいては、その内部でＤＳＰ（Ｄｉｇｉｔａｌ  Ｓｉｇｎａｌ  Ｐｒｏｃｅｓｓｏｒ）などを使用しているものがある。そのような音声の信号処理には、わずかであるが時間がかかり、その時間の分だけ音声の出力が遅れる場合がある。複数の再生データの中に、動画より音声が進んでいる再生データを含めることで、このような場合においても動画と音声とを同期するように調整することが可能となる。
【０１９９】
上記各実施の形態では、複数の再生データは、再生遅延量が１０ミリ秒毎に異なる組合せとなっている。この他にもたとえば、複数の再生データは、再生遅延量が１ミリ秒毎に異なる組合せとなっていても、再生遅延量が１００ミリ秒毎に異なる組合せとなっていてもよい。特に、ディスク再生装置２やオーディオアンプ装置４の内部において、記憶する複数の再生データの再生遅延量を微調整できるようにするなどして、プラズマディスプレイ装置３に入力する映像に対する音声の再生遅延量を連続的に可変できるようにしてもよい。
【０２００】
上記実施の形態１および２では、テストディスク１を再生するディスク再生装置２から、同期調整のための映像信号と音声信号とを出力している。この他にもたとえば、テレビジョン受信装置やチューナ装置にて、映像と音声とが同期している放送電波を受信し、それに基づいて出力される映像信号と音声信号とを用いて、プラズマディスプレイ装置とオーディオアンプ装置との同期を調整するようにしてもよい。また、オーディオビジュアルのコンテンツを記録再生できるハードディスクレコーダなどの他の再生装置から、同期調整に使用する映像信号と音声信号とを出力するようにしてもよい。
【０２０１】
上記各実施の形態では、プラズマディスプレイ装置とオーディオアンプ装置とを組み合わせた場合において、映像と音声との同期を調整する場合を例として説明している。この他にもたとえば、ディスプレイ装置としては、液晶ディスプレイ装置、ブラウン管を用いたディスプレイ装置などがある。これら他のディスプレイ装置とオーディオアンプ装置とを組み合わせた場合においても、装置内での信号処理や映像信号の伝送経路と音声信号の伝送経路との違いなどに基づいて、再生する映像と音声との間にずれが生じることがある。このような装置の組合せであったとしても、本発明の各実施の形態に係る同期調整システムを用いて同期するように調整することで、違和感を感ずることなく映画などを鑑賞することができるようになる。
【産業上の利用可能性】
【０２０２】
本発明は、プラズマディスプレイ装置とオーディオアンプ装置とを使用するホームシアターシステムなどにおいて、それらの動画と音声とを同期させるために利用することができる。
【図面の簡単な説明】
【０２０３】
【図１】図１は、本発明の実施の形態１に係る同期調整システムを示す図である。
【図２】図２は、図１中のプラズマディスプレイ装置の構成を示すブロック図である。
【図３】図３は、図１中のオーディオアンプ装置の構成を示すブロック図である。
【図４】図４は、図１中のディスク再生装置の構成を示すブロック図である。
【図５】図５は、図１中のテストディスクに記録されている１つの再生データの動画と音声との関係などを示す説明図である。
【図６】図６は、図１中のテストディスクに選択画面データとして記録されている選択画面を示す図である。
【図７】図７は、本発明の実施の形態１に係る同期調整システムの他の接続例を示す図である。
【図８】図８は、本発明の実施の形態２に係るオーディオアンプ装置の構成を示すブロック図である。
【図９】図９は、本発明の実施の形態３に係る同期調整システムを示す図である。
【図１０】図１０は、図９中のオーディオアンプ装置の構成を示すブロック図である。
【図１１】図１１は、本発明の実施の形態４に係るオーディオアンプ装置の構成を示すブロック図である。
【図１２】図１２は、ディスク再生装置、プラズマディスプレイ装置およびオーディオアンプ装置を、光ケーブルで接続した場合の同期調整システムの変形例を示す図である。
【図１３】図１３は、プラズマディスプレイ装置およびオーディオアンプ装置を、光ケーブルで接続した場合の同期調整システムの変形例を示す図である。
【符号の説明】
【０２０４】
１  テストディスク（記録媒体、映像及び音声信号発生装置の一部）
２  ディスク再生装置（再生装置、映像及び音声信号発生装置の一部）
３  プラズマディスプレイ装置（表示装置）
４  オーディオアンプ装置（音声出力装置）
２１  アナログ映像入力端子（信号入力手段の一部、映像入力端子）
２２  アナログ映像出力端子（映像出力端子）
２４  表示部（表示手段）
２６  入力部（数値入力手段）
２７  遅延データ設定部（設定手段）
２８  遅延データメモリ（記憶手段）
３１  アナログ音声入力端子（信号入力手段の一部）
３５  アナログ音声出力端子（アナログ音声信号出力手段）
４２  光ピックアップ（読出手段）
４５  入力部（選択手段）
４９  音声Ｄ／Ａ変換部（音声信号生成手段）
５０  アナログ音声出力端子（信号出力手段の一部）
５３  映像Ｄ／Ａ変換部（動画信号生成手段）
５４  アナログ映像出力端子（信号出力手段の一部）
９１  リモコンユニット（選択指示入力手段の一部、遠隔入力ユニット）
９２  受光部（選択指示入力手段の一部、受信ユニット）
９４  遅延データ設定部（設定手段）
１０２  テストデータ発生部（信号発生手段）
１０３  映像入力切替回路（映像入力切替手段）
１１３  遅延データ設定部（設定手段）
【図１】
2006340250.tif 000003
【図２】
2006340250.tif 000004
【図３】
2006340250.tif 000005
【図４】
2006340250.tif 000006
【図５】
2006340250.tif 000007
【図６】
2006340250.tif 000008
【図７】
2006340250.tif 000009
【図８】
2006340250.tif 000010
【図９】
2006340250.tif 000011
【図１０】
2006340250.tif 000012
【図１１】
2006340250.tif 000013
【図１２】
2006340250.tif 000014
【図１３】
2006340250.tif 000015